(57)【要約】【課題】基板ボックスを不正に開放させる行為を好適に抑制することが可能な遊技機を提供する。【解決手段】主制御装置６３の基板ボックス９２は、裏側構成体１０１と表側構成体１０２とを備えており、両構成体１０１，１０２によって区画形成された基板ボックス９２の内部空間には、主制御基板９１が収用されている。裏側構成体１０１の内面には裏側結合体１７６が固定されており、表側構成体１０２の内面には表側結合体１７７が固定されている。これら両結合体１７６，１７７が相互に結合されることで、両構成体１０１，１０２が一体化されている。そして、これら両結合体１７６，１７７についても、主制御基板９１と同様に、両構成体１０１，１０２によって区画形成された内部空間に収容されており、基板ボックス９２外部への露出が抑えられている。【選択図】      図１４
2014004411.tif 000002
【特許請求の範囲】
【請求項１】
遊技に関する制御を行う制御基板と、
内部空間が形成されており、その内部空間に前記制御基板が収容されている基板ボックスと
を備え、
前記基板ボックスは、
相互に組み合わされることにより当該基板ボックスの内部空間の少なくとも一部を形成する第１ボックス構成体及び第２ボックス構成体と、
それら第１ボックス構成体及び第２ボックス構成体を相互に結合する結合手段と
を備え、
前記結合手段は、前記内部空間に収容されており、前記第１ボックス構成体と前記第２ボックス構成体との組み合わせ作業が行われる場合のそれら第１ボックス構成体及び第２ボックス構成体の相対位置の変化に基づいて結合状態へ移行され、
前記基板ボックスは、前記結合手段が前記結合状態に移行されることにより、前記第１ボックス構成体と前記第２ボックス構成体との分離が不能となるように構成されており、
前記第１ボックス構成体は、前記制御基板の板面と対向する第１区画壁部を少なくとも有し、
前記第２ボックス構成体は、前記制御基板における前記板面とは反対側の板面に対向する第２区画壁部を少なくとも有し、
前記結合手段は、
前記第１区画壁部から前記第２区画壁部側に起立する第１柱状部と、
前記第２区画壁部から前記第１区画壁部側に起立する第２柱状部と、
前記第１柱状部において前記第２柱状部と向き合う端部に設けられた第１結合部と、
前記第２柱状部において前記第１柱状部と向き合う端部に設けられ、前記第１結合部と結合することにより当該結合手段を前記結合状態とする第２結合部と
を有し、
前記両柱状部は、前記結合状態となった場合に前記第１柱状部及び前記第２柱状部における前記互いに向き合う端部同士が接触してそれら両柱状部が一体となることにより、同柱状部内に前記第１結合部及び前記第２結合部を収容する収容部が形成されるように構成されていることを特徴とする遊技機。
【発明の詳細な説明】
【技術分野】
【０００１】
本発明は、遊技機に関するものである。
【背景技術】
【０００２】
遊技機の複数種として、パチンコ遊技機やスロットマシン等が知られている。これらの遊技機は、ＣＰＵや遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものがある。
【０００３】
この種の遊技機においては、不正な利益を得ることを目的として、制御基板内のＲＯＭ（ＣＰＵやＲＯＭが１チップ化されている場合は当該チップ）を交換し遊技内容を変更する等の制御基板に対する不正行為が数多く報告されており、従来より各種の不正対策が検討されている。
【０００４】
例えば、基板ボックスを構成する複数のボックス構成体を相互に結合するための結合手段（いわゆる、カシメ構造）を持たせたものが知られている（例えば、特許文献１参照）。当該結合手段は、その結合の解除に際して破壊を要するように構成されている。
【０００５】
また、遊技場では外部機関等によって制御基板の検査が行われることがある。したがって、この検査に際して基板ボックスの開放作業を容易なものとするために、結合手段周辺には脆弱部が積極的に設けられており、当該脆弱部を破壊（切断等）することにより結合手段による結合が解除され、基板ボックスの開放を行えるようにしてある。このような脆弱部の破壊痕跡を確認することで、基板ボックスの開放時にはその破壊による開放履歴を残すことができ、不正に基板ボックスが開放された場合にはそれを発見することが可能となる。
【先行技術文献】
【特許文献】
【０００６】
【特許文献１】特開２００３−１８０９１７号公報
【発明の概要】
【発明が解決しようとする課題】
【０００７】
しかしながら、上記結合手段を備えた制御基板装置であっても、未だに不正行為が行われることが考えられる。例えば結合手段そのものを巧妙に破壊することにより、脆弱部に破壊の痕跡を残存させることなく、基板ボックスの開放がなされるおそれがある。かかる場合、基板ボックスの開放の痕跡を発見しにくくなると想定される。
【０００８】
本発明は、上記例示した事情等に鑑みてなされたものであり、基板ボックスを不正に開放させる行為を好適に抑制することが可能な遊技機を提供することを目的とするものである。
【課題を解決するための手段】
【０００９】
本発明は、
遊技に関する制御を行う制御基板と、
内部空間が形成されており、その内部空間に前記制御基板が収容されている基板ボックスと
を備え、
前記基板ボックスは、
相互に組み合わされることにより当該基板ボックスの内部空間の少なくとも一部を形成する第１ボックス構成体及び第２ボックス構成体と、
それら第１ボックス構成体及び第２ボックス構成体を相互に結合する結合手段と
を備え、
前記結合手段は、前記内部空間に収容されており、前記第１ボックス構成体と前記第２ボックス構成体との組み合わせ作業が行われる場合のそれら第１ボックス構成体及び第２ボックス構成体の相対位置の変化に基づいて結合状態へ移行され、
前記基板ボックスは、前記結合手段が前記結合状態に移行されることにより、前記第１ボックス構成体と前記第２ボックス構成体との分離が不能となるように構成されており、
前記第１ボックス構成体は、前記制御基板の板面と対向する第１区画壁部を少なくとも有し、
前記第２ボックス構成体は、前記制御基板における前記板面とは反対側の板面に対向する第２区画壁部を少なくとも有し、
前記結合手段は、
前記第１区画壁部から前記第２区画壁部側に起立する第１柱状部と、
前記第２区画壁部から前記第１区画壁部側に起立する第２柱状部と、
前記第１柱状部において前記第２柱状部と向き合う端部に設けられた第１結合部と、
前記第２柱状部において前記第１柱状部と向き合う端部に設けられ、前記第１結合部と結合することにより当該結合手段を前記結合状態とする第２結合部と
を有し、
前記両柱状部は、前記結合状態となった場合に前記第１柱状部及び前記第２柱状部における前記互いに向き合う端部同士が接触してそれら両柱状部が一体となることにより、同柱状部内に前記第１結合部及び前記第２結合部を収容する収容部が形成されるように構成されていることを特徴とする。
【発明の効果】
【００１０】
本発明によれば、基板ボックスを不正に開放させる行為を好適に抑制することが可能となる。
【図面の簡単な説明】
【００１１】
【図１】一実施の形態におけるパチンコ機の構成を示す斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】主制御装置の構成を示す斜視図。
【図８】主制御装置の構成を示す表側から見た分解斜視図。
【図９】主制御装置の構成を示す裏側から見た分解斜視図。
【図１０】基板ボックスの正面の一部を拡大して示す説明図。
【図１１】基板ボックスの内部空間が開放された状態を説明するための説明図。
【図１２】基板ボックスの内部空間が開放された状態を説明するための説明図。
【図１３】ＣＰＵチップ及びを主制御基板の基板側除去領域を基板ボックス内から取り出す場合の作業の様子を説明するための説明図。
【図１４】（ａ）図５のＡ−Ａ線部分断面図、（ｂ）結合手段の構成を示す分解斜視図。
【図１５】両構成体の組み付けの様子を示す部分概略図。
【図１６】パチンコ機の電気的構成を示すブロック図。
【図１７】基板ボックスの結合に関する構成の変形例を説明するための説明図。
【図１８】切断部の変形例を説明するための説明図。
【発明を実施するための形態】
【００１２】
はじめに、本実施の形態から抽出され得る発明を、必要に応じて効果等を示しつつ説明する。
【００１３】
手段１．遊技に関する制御を行う制御基板（主制御基板９１等）と、
内部空間が形成されており、その内部空間に前記制御基板が収容されている基板ボックス（基板ボックス９２）と
を備え、
前記基板ボックスは、
相互に組み合わされることにより当該基板ボックスの内部空間の少なくとも一部を形成する第１ボックス構成体（例えば裏側構成体１０１）及び第２ボックス構成体（例えば表側構成体１０２）と、
それら第１ボックス構成体及び第２ボックス構成体を相互に結合する結合手段（例えば結合機構１７５）と
を備え、
前記結合手段は、前記内部空間に収容されていることを特徴とする遊技機。
【００１４】
手段１によれば、第１ボックス構成体及び第２ボックス構成体を結合する結合手段が基板ボックスの内部空間内に収容されている。これにより、基板ボックス外部への結合手段の露出を回避し、基板ボックス外部からの結合手段へのアクセス（物理的な接触）を抑制することができる。このように結合手段へのアクセスを困難なものとすることで、両ボックス構成体の結合状態の解除を行いにくくし、基板ボックスを不正に開放させる行為を好適に抑制することができる。
【００１５】
また、仮に結合手段を巧妙に破壊し、その破壊痕跡を隠蔽しようとしても、結合手段の破壊には基板ボックスの破壊が不可欠となる。基板ボックスの破壊に伴って破壊痕跡が残存することにより、基板ボックスが開放された事実を容易に発見可能とすることができる。
【００１６】
手段２．前記結合手段によって前記第１ボックス構成体及び前記第２ボックス構成体が結合されることにより、それら第１ボックス構成体と第２ボックス構成体との分離が不能となることを特徴とする手段１に記載の遊技機。
【００１７】
手段２によれば、前記第１ボックス構成体及び前記第２ボックス構成体の分離が不能となることで、内部空間が区画された後は、基板ボックス外部からの内部空間へのアクセスが困難となる。これにより、結合手段に対して不正なアクセスがなされることを好適に抑制できる。
【００１８】
手段３．前記結合手段は、前記第１ボックス構成体と前記第２ボックス構成体との組み合わせ作業時におけるそれら第１ボックス構成体及び第２ボックス構成体の相対位置の変化に基づいて結合状態へ移行されることを特徴とする手段１又は手段２に記載の遊技機。
【００１９】
結合手段を基板ボックスの内部空間に収容する構成にあっては、上述の如く結合手段の露出を抑え防犯性を向上することができる反面、結合手段へのアクセスが難しくなることに起因して結合作業が煩雑化することが懸念される。この点、本手段に示すように、結合手段が組み合わせ作業時におけるボックス構成体の相対位置の変化に基づいて結合状態に移行される構成とすれば、結合手段に直接触れることなく結合作業を行うことができる。これにより、結合作業の煩雑化を回避しつつ、防犯性の向上に貢献することができる。
【００２０】
なお、結合作業用の開口等を基板ボックスに形成する必要もないため、不正侵入防止の観点からも好ましい構成を実現できる。
【００２１】
手段４．前記第１ボックス構成体及び前記第２ボックス構成体が相互に組み合わされる場合に、それら両ボックス構成体の相対移動方向を所定の方向に規定する規定手段（表側周壁部１２２の内壁面１２２ａ及び遮蔽部１２４）を備え、
前記所定の方向への前記両ボックス構成体の相対移動に基づいて、前記結合手段が結合状態に移行されることを特徴とする手段１乃至手段３のいずれか１つの手段に記載の遊技機。
【００２２】
手段４によれば、両ボックス構成体の組み合わせ作業を行うことにより、結合手段を結合状態へと移行させることができる。このため、両ボックス構成体の組み合わせ作業の他に、結合手段を結合させるための別途作業を必要とせず、作業を簡略化することができる。特に、結合手段を基板ボックスの内部空間に収容する構成とした場合、ボックス構成体を組み付け完了した後に結合作業を行うことが困難となり得る。このため、例えばボックス構成体の組み付け作業と結合手段の結合作業とを並行して行う等する必要が生じる。かかる場合、そのような並行作業に起因して作業性の悪化を招来するおそれがある。この点、本手段においては、一の操作によって両作業を完結することができるため、上述したような不都合の発生を好適に回避することができる。
【００２３】
また、規定手段によって相対移動の方向が規定されているため、作業ばらつき等により結合状態への移行が行われないといった不都合を生じにくくすることもできる。
【００２４】
手段５．前記規定手段は、前記第１ボックス構成体及び前記第２ボックス構成体の境界部位に対して前記基板ボックスの内方から対峙するように配置され、前記境界部を遮蔽していることを特徴とする手段４に記載の遊技機。
【００２５】
手段５によれば、規定手段は、両ボックス構成体の境界部位に対して基板ボックスの内方から対峙している。このため、仮に基板ボックス外部から境界部位を介して不正具等が挿入された場合であっても、不正具が規定手段に当たることにより、基板ボックスの内部空間（例えば結合手段）へのアクセスを困難なものとすることができる。すなわち、規定手段に、境界部位を遮蔽する遮蔽機能を付与することによって、構成の煩雑化を抑えつつ防犯性の向上に貢献し、実用上好ましい構成を実現することができる。
【００２６】
手段６．前記結合手段を複数備え、それら各結合手段は複数の異なる箇所に離間して配置されていることを特徴とする手段１乃至手段５のいずれか１つの手段に記載の遊技機。
【００２７】
手段６によれば、第１ボックス構成体及び第２ボックス構成体を複数の部位にて結合することで、両ボックス構成体の離れや、それらボックス構成体間の境界部位の広がりを抑えやすくすることができる。これにより、防犯性の更なる向上が期待できる。
【００２８】
結合手段を複数設定する場合、それぞれの結合箇所にて結合作業を行う必要が生じ、基板ボックスの組み付け作業が煩雑化しやすくなることが懸念される。この点、手段４等との組み合わせ（規定手段によって両ボックス構成体の相対移動方向が規定されている構成）においては特に、ボックス構成体の組み合わせ作業に伴って結合手段が結合状態に移行されるという優れた特徴を有している。このため、結合部位に増加に伴う作業性の悪化を抑えつつ、防犯性の向上に貢献することができる。
【００２９】
例えば、第１ボックス構成体及び第２ボックス構成体の境界部位や、制御基板の周縁部に沿って結合手段を点在させるとよい。
【００３０】
手段７．前記第１ボックス構成体は、前記制御基板の板面と対向する第１区画壁部（例えば裏側平板部１１１）を少なくとも有し、
前記第２ボックス構成体は、前記板面の反対側の面に対向する第２区画壁部（例えば表側壁部１２１）を少なくとも有し、
それら第１区画壁部及び第２区画壁部が前記結合手段によって相互に結合されていることを特徴とする手段１乃至手段６のいずれか１つの手段に記載の遊技機。
【００３１】
手段７によれば、制御基板を挟んで設けられた区画壁部同士が結合手段によって結合されている。これにより、制御基板（詳しくは板面）の面方における結合手段と制御基板との重なりを抑えやすくできる。より具体的に説明すれば、制御基板の板面に沿って結合手段が配された場合、例えば第１区画壁部及び第２区画壁部の両者に連続する周壁部同士を結合手段によって結合した場合、制御基板（詳しくは板面）の面方向における結合手段と制御基板との重なりが大きくなると想定される。このように、制御基板と結合手段との重なりが大きくなると、制御基板の確認を行う際の作業が結合手段によって阻害されやすくなると懸念される。この点、上述の如く、制御基板と結合手段との重なりを抑えれば、結合手段を制御基板共々基板ボックス内に収容したとしても、制御基板の視認性を損ないにくくすることができる。
【００３２】
また、制御基板の厚み寸法は、制御基板の長手方向の寸法や短手方向の寸法よりも比較的小さくしやすい。このように、結合対象同士の間隔が小さい部位にて結合を行えば、結合状態を強固なものとしやすくなる。
【００３３】
特に手段５との組み合わせ（規定手段が境界部位と対峙している構成）においては、結合手段と境界部位との間に規定手段を配置することが可能となる。このように、結合手段と境界部位との間に規定手段を配置することで、結合手段に対する不正なアクセスを一層困難なものとすることができる。
【００３４】
手段８．前記結合手段は、
前記第１区画壁部から前記第２区画壁部側に起立する第１柱状部（裏側スペーサ部１８１等）と、
前記第２区画壁部から前記第１区画壁部側に向かって起立する第２柱状部（表側スペーサ部１９１等）と
を有し、
これら第１柱状部及び第２柱状部は、互いに向き合う端部（当接面１８２，１９２）同士が接触した状態にて相互に結合されていることを特徴とする手段７に記載の遊技機。
【００３５】
手段８によれば、第１柱状部及び第２柱状部をスペーサとして機能させることで、内部空間を隔てて対峙する両区画壁部の結合を好適に実現することができる。
【００３６】
また、第１区画壁部及び第２区画壁部は制御基板の板面と対向しているため、それら区画壁部の撓みを抑える支持部等が設定されにくいと想定される。それら区画壁部が撓んだ場合、例えばボックス構成体間の境界部位が広がったり、区画壁部と制御基板（詳しくは素子等）が接触したりする可能性がある。この点、本手段によれば、両柱状部の端部が相互に接触している。このため、両者が結合され一体となることで、支持部としての機能を付与することが可能となる。これにより、基板ボックスの中心に近い位置にて両ボックス構成体を支持することができ、基板ボックスをより強固なものとすることができる。
【００３７】
手段９．前記各ボックス構成体は透明性を有していることを特徴とする手段１乃至手段８のいずれか１つの手段に記載の遊技機。
【００３８】
結合手段を基板ボックス内に収容することで、結合手段や結合状態の確認等が困難となり得る。この点、本手段に示すように、各ボックス構成体が透明性を有する構成とすることで、結合手段や結合状態を目視にて確認することが可能となる。これにより、仮に結合状態の不正な解除等が行われた場合であっても、その確認を基板ボックスの開放等を伴うことなく実施できるため、実用上好ましい構成を実現できる。
【００３９】
手段１０．前記制御基板における少なくとも一方の板面は、遊技制御プログラムを記憶した素子（ＣＰＵチップ９３等）が搭載されてなる素子搭載面（素子搭載面９７）を構成しており、当該素子搭載面側に前記結合手段の結合部位（例えばストッパ部１８４及び傾斜部１９７）が位置していることを特徴とする手段９に記載の遊技機。
【００４０】
一般的に制御基板における素子搭載面側は不正の対象となりやすく、確認作業の対象となりやすい。結合手段における結合部位を制御基板における素子搭載面側に配置すれば、制御基板自身によって結合部位が見えにくくなるといった不都合を好適に回避し得るとともに、素子搭載面の確認作業及び結合部位の確認作業を同一側から行うことが可能となる。これにより、結合手段を基板ボックス内に収容したとしてもその視認性を担保し、確認作業の煩雑化を回避しやすくすることができる。
【００４１】
手段１１．遊技に関する制御を行う制御基板（主制御基板９１等）と、
内部空間が形成されており、その内部空間に前記制御基板が収容されている基板ボックス（基板ボックス９２）と
を備え、
前記基板ボックスは、
相互に組み合わされることにより当該基板ボックスの内部空間の少なくとも一部を形成する第１ボックス構成体（例えば裏側構成体１０１）及び第２ボックス構成体（例えば表側構成体１０２）と、
それら第１ボックス構成体及び第２ボックス構成体を相互に結合する結合手段（例えば結合機構１７５）と
を備え、
前記各ボックス構成体は、前記内部空間と前記基板ボックスの外部空間とを区画する略一定肉厚の区画壁部（例えば裏側周壁部１１８や表側周壁部１２２）を有し、
前記結合手段は、前記内部空間に収容されていることを特徴とする遊技機。
【００４２】
手段１１によれば、手段１で示した効果と同様の効果を奏する。本手段に、手段２乃至手段１０に示した技術的思想を適用することも可能である。
【００４３】
なお、複数の「区画壁部」を有する構成においては、それら各区画壁部の厚みは同一であってもよいし、それぞれ異なっていてもよい。
【００４４】
手段１２．前記制御基板には遊技制御プログラムを記憶した素子（ＣＰＵチップ９３等）が搭載されているとともに、
前記基板ボックスの内部空間を規定する規定部を複数の領域に区画するように設けられ、前記両ボックス構成体の結合状態を解除して前記内部空間を開放する場合よりも当該内部空間を開放し易いように切断し易く形成されたボックス側切断部（ボックス側切断部１５１等）を備えており、
当該ボックス側切断部を切断して、前記内部空間を規定している位置から前記規定部の一部の領域を除去した場合、前記素子の取り外し又は前記制御基板において少なくとも前記素子が搭載された領域の取り外しを可能とする開口（開口１５４等）が前記基板ボックスに形成されることを特徴とする手段１乃至手段１１のいずれか１つの手段に記載の遊技機。
【００４５】
手段１２によれば、基板ボックスにはボックス側切断部が形成されており、当該ボックス側切断部を切断して、内部空間を規定している位置から規定部の一部の領域を除去した場合、遊技制御プログラムを記憶した素子の取り外しを可能とする開口が基板ボックスに形成される。そして、ボックス側切断部はボックス構成体の結合状態を解除する場合よりも切断し易く形成されているため、遊技場において上記素子を基板ボックスから取り出して入念に検査する場合には、その作業を比較的容易に行うことができる。特に、結合手段を基板ボックスの内部空間に収容している場合、結合状態の不正な解除を不可とする一方で、制御基板や素子等の検査等が行いにくくなる。上述の如く積極的に切断が容易な部分を設けることによって、防犯性の向上と作業性の担保とを両立することが可能となる。
【００４６】
また、ボックス側切断部を切断して基板ボックスの内部空間を開放させた場合には、当該基板ボックスに開口が形成されるため、仮に上記素子などに不正を行う目的でボックス側切断部を切断して基板ボックスの内部空間が開放されていた場合にはその発見を比較的容易に行うことができる。
【００４７】
さらには、上記のようにボックス側切断部が設けられた構成においては、当該ボックス側切断部によって基板ボックスの内部空間を良好に開放するための機能が果たされているため、複数のボックス構成体の固定に際しては、基板ボックスの内部空間を開放する場合の作業性を考慮する必要がなくなる。したがって、複数のボックス構成体の固定を強固に行うことが可能となる。
【００４８】
なお、「前記基板ボックスの内部空間を規定する規定部」は、基板ボックスの一部又は全部のいずれであってもよい。また、換言すれば、「前記基板ボックスの内部空間を規定する周壁」としてもよく、「前記基板ボックスにおいて当該基板ボックスの内部空間を規定する壁部」としてもよい。そして、手段１１に示す「区画壁部」と「規定部」とは同一の対象を示すものであってもよいし、異なる対象を示すものであってもよい。
【００４９】
また、「切断しやすく形成された切断部」は、例えば、以下に示すような構成を適用することで容易に実現できる。「基板ボックスの内外に貫通する貫通孔（貫通孔１５２）が所定の線上に複数配列されてなり、前記貫通孔は、長孔状をなすとともに、それら各貫通孔の長手方向が前記所定の線に沿うように配置されている構成」を適用してもよく、「前記切断部は、前記基板ボックスの内外に貫通する貫通孔（貫通孔１５２）が所定の線上に複数配列されてなり、隣り合うように並設された前記貫通孔間の距離寸法は、その並設方向における前記貫通孔の長さ寸法よりも小さく設定されている構成」を適用してもよい。
【００５０】
因みに、「前記素子の取り外しを可能とする開口が前記基板ボックスに形成され」には、当該開口によって素子が露出する構成だけでなく、基板ボックスの内部空間に素子を覆うカバー部を備えた構成においては前記開口によって当該カバー部が露出し、その状態で当該カバー部を除去することが可能となるとともに、当該カバー部を除去することで素子が露出する構成も含まれる。
【００５１】
手段１３．前記ボックス側切断部は、前記規定部において前記素子と対峙する部位を含んだ領域をその周囲の領域に対して区画するように形成されていることを特徴とする手段１２に記載の遊技機。
【００５２】
手段１３によれば、ボックス側切断部を切断することで、制御基板において素子が搭載された領域を露出させることが可能となる。よって、素子の検査を行う場合の作業性を向上させることができる。
【００５３】
なお、「前記素子と対峙する部位」には、当該部位と素子との間に何ら部材が介在していない構成だけでなく、当該部位と素子との間に所定の部材が介在している構成も含まれる。この所定の部材としては、例えば、基板ボックスの内部空間において素子を覆うカバー部などが含まれる。これは以下も同様である。
【００５４】
手段１４．前記ボックス側切断部は、当該ボックス側切断部を切断することにより前記基板ボックスに形成される開口が前記制御基板の取り出しを不可とする大きさとなるように形成されていることを特徴とする手段１２又は手段１３に遊技機。
【００５５】
制御基板装置に対する不正行為としては、制御基板を不正に取得しようとする行為や、制御基板を不正な基板に交換しようとする行為が想定される。この場合に、上記手段１の構成を備え、ボックス側切断部が基板ボックスに設けられた構成においては、当該ボックス側切断部を切断することにより基板ボックスに形成される開口を通じて、制御基板を取り外そうとする行為が想定される。これに対して、本手段によれば、ボックス側切断部を切断したとしても制御基板の取り外しが難しくなり、上記不正行為を困難なものとすることが可能となる。
【００５６】
なお、制御基板は基板ボック内にて固定具等によって固定されていてもよい。かかる場合、仮にそれら固定具による固定が解除された場合であっても、開口からの制御基板の取り外しが困難となる。これにより、防犯性の向上に貢献できる。
【００５７】
以下に、本手段を実現し得る遊技機の具体例を示す。
【００５８】
前記制御基板は、前記制御基板が前記開口側に移動した場合に、前記開口が形成された規定部に対して当接することにより前記基板ボックスからの当該制御基板の取り外しを規制する規制部を備えていることを特徴とする手段１２又は手段１３に記載の遊技機。
【００５９】
手段１５．前記ボックス側切断部によって区画された領域以外の領域に、前記結合手段が設けられていることを特徴とする手段１２乃至手段１４のいずれか１つの手段に記載の遊技機。
【００６０】
手段１５によれば、ボックス側切断部が切断され規定部の一部が除去された場合であっても、結合手段による前記第１ボックス構成体及び前記第２ボックス構成体の結合状態が維持される。これにより、制御基板の不要な露出を抑えることができる。特に手段１４との組み合わせにおいては、ボックス構成体同士が分離されることで、制御基板が取り外されることを好適に抑制できる。
【００６１】
手段１６．前記制御基板は、当該制御基板を複数の領域に区画するようにして設けられ、制御基板における他の部位に比べ切断し易い基板側切断部（基板側切断部１６１）を備えており、
当該基板側切断部を切断することにより、前記制御基板において前記素子が搭載された領域が他の領域に対して分離可能となるとともに、
当該素子が搭載された領域は、前記ボックス側切断部を切断することにより前記基板ボックスに形成される開口を通じて前記基板ボックスから取り出し可能な大きさに設定されていることを特徴とする手段１４又は手段１５に記載の遊技機。
【００６２】
上記手段１４の構成を備え、ボックス側切断部を切断したとしても制御基板を取り外すことができないようにした構成において、制御基板の検査を行うために素子が搭載された領域を基板ボックスの外部に取り出すことが必要となることがある。この場合に、手段４によれば、制御基板には基板側切断部が形成されており、当該基板側切断部を切断することにより制御基板において素子が搭載された領域を基板ボックスの外部に取り出すことができる。そして、基板側切断部は制御基板における他の領域に比べ切断し易く形成されている。よって、当該検査の作業性を向上させることができる。
【００６３】
手段１７．前記ボックス側切断部は、前記規定部において、前記基板側切断部と対峙する部位の全体を含んだ領域をその周囲の領域に対して区画するように形成されていることを特徴とする手段１６に記載の遊技機。
【００６４】
手段１７によれば、ボックス側切断部を切断して基板ボックスに開口を形成することにより、基板側切断部の全体が露出することとなる。よって、基板側切断部を切断する場合の作業性を向上させることができる。
【００６５】
以下に、以上の各手段を適用し得る各種遊技機の基本構成を示す。
【００６６】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【００６７】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【００６８】
球使用回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【００６９】
以下、遊技機の一種であるパチンコ遊技機（以下、「パチンコ機」という）の一実施の形態を、図面に基づいて詳細に説明する。図１はパチンコ機１０を前方から見た斜視図、図２はパチンコ機１０の遊技機本体１２の分解斜視図である。なお、図２では便宜上、パチンコ機１０の遊技領域内の構成を省略している。
【００７０】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００７１】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【００７２】
外枠１１の一側部に遊技機本体１２が回動可能に支持されている。具体的には、図１に示すように、外枠１１における上枠部と左枠部との連結部分に上側支持用金具２１が設けられており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００７３】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００７４】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００７５】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００７６】
次に、遊技機本体１２の前面側の構成について説明する。図３は内枠１３の正面図である。
【００７７】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００７８】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００７９】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００８０】
図柄表示装置４１は液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組み合わせの図柄が停止表示された場合には、特別遊技状態（以下、大当たりという）が発生することとなる。
【００８１】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００８２】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００８３】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【００８４】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【００８５】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【００８６】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００８７】
下側膨出部５８の右方には、手前側へ突出するようにしてハンドル装置５９が設けられている。ハンドル装置５９が操作されることにより、遊技球発射機構から遊技球が発射される。
【００８８】
次に、遊技機本体１２の背面側の構成について説明する。図５は内枠１３の背面図、図６は裏パックユニット１５の正面図である。
【００８９】
図５に示すように、内枠１３（遊技盤３３）の背面には、主制御装置ユニット６１及び音声ランプ制御装置ユニット６５が搭載されている。
【００９０】
主制御装置ユニット６１は、合成樹脂製の取付台６２を有し、取付台６２に主制御装置６３が搭載されている。主制御装置６３は、遊技の主たる制御を司る機能（主制御回路）と、電源を監視する機能（停電監視回路）とを有する主制御基板を具備している。なお、主制御装置６３の具体的な構成については、後に詳細に説明する。
【００９１】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００９２】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【００９３】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【００９４】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【００９５】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。
【００９６】
払出制御装置８２は、基板ボックス８４内に払出装置７８を制御する払出制御基板が収容されて構成されている。電源及び発射制御装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【００９７】
次に、主制御装置６３の構成を図７〜図９に基づいて詳細に説明する。図７は主制御装置６３の構成を示す斜視図、図８は主制御装置６３を表側から見た斜視図、図９は主制御装置６３を裏側から見た斜視図である。
【００９８】
主制御装置６３は、図８及び図９に示すように、長板状の主制御基板９１と内部空間が形成された略直方体状の基板ボックス９２とを備えており、当該基板ボックス９２内に主制御基板９１が収容されてなる。
【００９９】
主制御基板９１は、主たる制御を司るＣＰＵ、遊技制御プログラムを記憶したＲＯＭ、遊技の進行に応じた必要なデータを記憶するＲＡＭ等を備えている。本実施の形態では、ＣＰＵ、ＲＯＭ及びＲＡＭがＣＰＵチップ９３に１チップ化されている。また、詳細な説明は省略するが、入出力ドライバ用ＩＣチップ９４及びラッチ用ＩＣチップ９５が搭載されている。また、図示は省略するが、主制御基板９１にはコンデンサや抵抗などの各種素子が搭載されているとともに、複数のコネクタが搭載されている。
【０１００】
主制御基板９１においてＣＰＵチップ９３などの各種素子やコネクタは全て同一の板面上に搭載されており、ＣＰＵチップ９３を除いて、逆側の板面にて半田付けされている。つまり、主制御基板９１は、一方の板面が素子搭載面９７となっており、他方の板面が半田面９８となっている。なお、半田面９８とは、素子搭載面９７に搭載される各種素子の半田付け部分が設けられた面であるが、当該半田面９８に対して回路パターンが形成されていてもよい。
【０１０１】
ここで、ＣＰＵチップ９３は素子搭載面９７の中央付近に配置されており、さらに素子搭載面９７から起立させて設けられている。さらに、ＣＰＵチップ９３は上記のとおり主制御基板９１に半田付けされておらず、ＣＰＵチップ９３の接続端子が主制御基板９１に差し込まれた状態となっている。つまり、ＣＰＵチップ９３は抜き挿し可能な状態で主制御基板９１に搭載されている。但し、ＣＰＵチップ９３を主制御基板９１に対して半田付けしてもよい。
【０１０２】
基板ボックス９２は、複数のボックス構成体として、裏側構成体（ボックスベース又は裏ケース体）１０１と、表側構成体（ボックスカバー又は表ケース体）１０２と、コネクタ用プレート（ミドルプレート）１０４とを備えている。これら裏側構成体１０１，表側構成体１０２，コネクタ用プレート１０４は、基板ボックス９２内に収容された主制御基板９１の素子搭載面９７及び半田面９８を基板ボックス９２外から視認可能なように透明性を有する材料により形成されている。具体的には、無色透明のポリカーボネート樹脂により形成されているが、これに限定されることはなく、アクリル樹脂等であってもよく、さらには有色透明であってもよい。
【０１０３】
裏側構成体１０１は、図８及び図９に示すように、主制御基板９１と同様に略長板状をなす裏側平板部１１１を備えている。主制御基板９１は、その半田面９８が裏側平板部１１１と対向するように配置されている。裏側平板部１１１は主制御基板９１の長手方向と同一方向を長手方向とする略長方形状をなしており、その外形は主制御基板９１の外形よりも大きく形成されている。また、裏側平板部１１１における主制御基板９１と対向している側には、板面を四角形状に区画する区画枠部１１３が一体形成されている。この区画枠部１１３は裏側平板部１１１から主制御基板９１側に突出している。
【０１０４】
裏側平板部１１１には、図８に示すように、区画枠部１１３により区画された領域の内側及び外側のそれぞれに複数のボス１１４，１１５，１１６が一体形成されており、各ボス１１４〜１１６にはそれぞれネジ孔が形成されている。これらボス１１４〜１１６のうち区画枠部１１３により区画された領域内に形成されたボス１１４、詳しくは区画領域の周縁部に沿って形成されたボス１１４は、主制御基板９１を裏側構成体１０１に固定するために用いられるものであり、区画枠部１１３により区画された領域内における他のボス１１５は、主制御基板９１を仮固定するために用いられるものであり、区画枠部１１３により区画された領域の外部に形成されたボス１１６は、表側構成体１０２を仮固定するために用いられるものである。なお、以下の説明では、最初のボス１１４を基板本固定用ボス（基板本固定部）１１４、次のボス１１５を基板仮固定用ボス（基板仮固定部）１１５、最後のボス１１６をボックス仮固定用ボス（ボックス仮固定部）１１６ともいう。
【０１０５】
基板本固定用ボス１１４に対してネジ止めされていることにより、裏側構成体１０１に主制御基板９１が固定されている。主制御基板９１の周縁は裏側構成体１０１の区画枠部１１３と重なっており、さらに主制御基板９１の半田面９８は、裏側平板部１１１において区画枠部１１３により区画された領域と対向している。この場合、主制御基板９１の周縁部と区画枠部１１３とが当接することにより、主制御基板９１と裏側平板部１１１との間に閉空間が形成されるようにしてもよく、一部又は全周に亘って隙間を設けておくようにしてもよい。
【０１０６】
基板本固定用ボス１１４に対する主制御基板９１のネジ止めは、主制御基板９１の素子搭載面９７側から破断ネジ１１７を螺着することにより行われている。ここで、破断ネジ１１７とは、ドライバなどの工具に先端を差込可能な頭部とネジ溝が形成された側との連結部分の強度が低く設定されたものであり、それ以上締めることができない位置において頭部に対して上記工具によりさらに所定の力を加えることにより、上記連結部分が切断され、頭部が分離されるものである。つまり、破断ネジ１１７は、螺着後において、上記工具を用いて緩める方向へ回転させることを不可とするものである。なお、螺着後において主制御基板９１と基板本固定用ボス１１４との結合を緩めることができないようにすることができるのであれば、主制御基板９１と基板本固定用ボス１１４とを結合する固定具（結合手段）は破断ネジ１１７に限定されることはなく周知のワンウェイネジであってもよい。基板本固定用ボス１１４に螺着されている破断ネジ１１７は螺着後において頭部が分離されている。
【０１０７】
基板仮固定用ボス１１５及びボックス仮固定用ボス１１６はそれぞれ、遊技場において主制御基板９１の検査を行う上で基板ボックス９２を開放した後に用いられる。これについては、後に詳細に説明することとし、ここでは説明を省略する。
【０１０８】
また、裏側平板部１１１における外周縁の全域には、主制御基板９１側に起立し、同主制御基板９１を囲む裏側周壁部１１８が一体成形されている。裏側周壁部１１８は裏側平板部１１１の各縁部に対応する４つの板状部分が連結されてなり、それら各板状部分はそれぞれ略一定の肉厚を有している。これら裏側平板部１１１及び裏側周壁部１１８によって区画される空間に、主制御基板９１が収容されている。すなわち、裏側構成体１０１は一方に開放された略箱状をなしており、その裏側構成体１０１内に主制御基板９１が収容された状態となっている。
【０１０９】
上記のように主制御基板９１が一体化された裏側構成体１０１に対して、コネクタ用プレート１０４が一体化された表側構成体１０２が固定されている。
【０１１０】
詳細には、表側構成体１０２は、図８及び図９に示すように、主制御基板９１の素子搭載面９７と対向する表側壁部１２１を有している。すなわち、裏側構成体１０１の裏側平板部１１１と表側構成体１０２の表側壁部１２１との間に、主制御基板９１が挟まれた状態となっている。表側壁部１２１は主制御基板９１の正面側から見て略長方形状をなしており、その外形は裏側平板部１１１の外形とほぼ同一となるように形成されている。表側壁部１２１における外周縁の全域には主制御基板９１側に起立した表側周壁部１２２が一体成形されている。表側周壁部１２２は、裏側周壁部１１８と同様に、表側壁部１２１の各縁部に対応する４つの板状部分が連結されてなり、それら各板状部分はそれぞれ略一定の肉厚を有している。これら表側壁部１２１及び表側周壁部１２２により、表側構成体１０２は主制御基板９１側に解放された略箱状をなす構成となっている。
【０１１１】
表側周壁部１２２は、裏側周壁部１１８と連続するように配置されている。より詳しくは、裏側周壁部１１８と表側周壁部１２２とは所定の肉厚（本実施形態においては両者の肉厚は同一）を有しており、両構成体１０１，１０２が固定された状態において、それら両周壁部１１８，１２２の端面１１９，１２３同士が面接触している。すなわち、これら端面１１９，１２３同士の接触部位が、両構成体１０１，１０２（詳しくは両周壁部１１８，１２２）の境界を規定している。両周壁部１１８，１２２の内壁面１１８ａ，１２２ａはその境界を挟んで連なっており、それら内壁面１１８ａ，１２２ａによって基板ボックス９２の内部空間が区画されている。また、両周壁部１１８，１２２の内壁面１１８ａ，１２２ａの外壁面１１８ｂ，１２２ｂについても同様に前記境界を挟んで連なっており、それら外壁面１１８ｂ，１２２ｂによって基板ボックス９２とその外部との境界が規定されている。
【０１１２】
裏側構成体１０１には、これら周壁部１１８，１２２の境界を内側から覆う遮蔽部１２４が一体成形されている。より詳しくは、遮蔽部１２４は、裏側周壁部１１８における内側の周縁に沿って形成されており、その遮蔽部１２４の外面は、その全域において表側周壁部１２２の内面と接触している。すなわち、両構成体１０１，１０２が固定された状態においては、両周壁部１１８，１２２の境界部位が内部より塞がれた状態となっている。また、遮蔽部１２４は、両構成体１０１，１０２を組み付ける際の両構成体１０１，１０２の相対移動方向を所定の方向（本実施の形態においては素子搭載面９７の面方向）に規定する規定手段としての機能と、組み付け完了後の両構成体１０１，１０２の位置ずれを抑制する抑制手段としての機能とを併せ有している。両構成体１０１，１０２を組み付ける際には、遮蔽部１２４の外面に表側周壁部１２２の内面を沿わせることで、所定の方向（本実施の形態においては素子搭載面９７の面方向）に向けて組み付けの案内がなされる。換言すれば、その所定の方向以外の方向からの組み付けが制限されている。このように、組み付けの案内がなされることにより各周壁部１１８，１２２の端面１１９，１２３が相互に接触する組み付け完了位置に導かれ、両構成体１０１，１０２の組み付けが完了する。そして、両構成体１０１，１０２が相互に組み付けられた状態においては、遮蔽部１２４の外面に表側周壁部１２２の内面とが接触していることで、前記所定の方向に対して交差する方向への位置ずれが抑えられる。なお、両構成体１０１，１０２の組み付け時に所定の組み付け完了位置への案内がなされることに着目すれば、「規定手段」を「案内手段」と称することも可能である。
【０１１３】
また、表側壁部１２１の一方の長辺側には当該長辺に沿って延びる長孔部１２５が形成されている。当該長孔部１２５は、表側周壁部１２２と表側壁部１２１の区画壁１２６とによりその周囲が囲まれている。
【０１１４】
表側構成体１０２と主制御基板９１との間には、長孔部１２５を塞ぐようにして、コネクタ用プレート１０４が配置されている。コネクタ用プレート１０４は、表側構成体１０２の背面側にネジ止めされている（詳しくは着脱可能な状態で固定されている）。コネクタ用プレート１０４には、主制御基板９１に設けられた所定のコネクタ群に１対１で対応させて貫通孔１２９が複数形成されている。
【０１１５】
上述したようにコネクタ用プレート１０４が一体化された表側構成体１０２は、主制御基板９１が一体化された裏側構成体１０１に対して、主制御基板９１の素子搭載面９７を覆うようにして組み合わされている。この場合、裏側構成体１０１の裏側周壁部１１８（詳しくは端面１１９）と表側構成体１０２の表側周壁部１２２（詳しくは端面１２３）とが全周で接触した状態となり、表側構成体１０２の裏面側への開放部分が裏側構成体１０１により閉塞されている。また、主制御基板９１の素子搭載面９７に搭載された各種素子は、主制御基板９１と表側構成体１０２との間の領域内に収容されている。
【０１１６】
また、裏側構成体１０１と表側構成体１０２とが組み合わされた状態においては、素子搭載面９７に搭載された所定のコネクタがコネクタ用プレート１０４の対応する貫通孔１２９内に入り込んでいる。そして、この状態ではコネクタは表側構成体１０２の表面側に露出している。主制御基板９１において所定のコネクタの位置は機種毎に変更されることがあり、このような事情において上記のようにコネクタ用プレート１０４を設けることで、機種毎にコネクタ用プレート１０４を変更するだけでよく、表側構成体１０２及び裏側構成体１０１を機種毎に共通化させることができる。
【０１１７】
ちなみに、コネクタ用プレート１０４の貫通孔１２９が形成された板状部１２７は主制御基板９１の素子搭載面９７に重ね合わせられており、コネクタ用プレート１０４の板状部１２７から起立させて設けられた起立部１２８は、表側壁部１２１の区画壁１２６に対して当該表側壁部１２１よりも内側において重なり合っている。したがって、上記のようにコネクタ用プレート１０４が設けられた構成において、図７に示すように、コネクタを除いて、主制御基板９１の素子搭載面９７は表側構成体１０２及びコネクタ用プレート１０４により覆われている。
【０１１８】
裏側構成体１０１と表側構成体１０２とは、上記のように組み合わされた状態において相互に固定されている。これにより、所定の内部空間を有する四角箱状（略直方体形状）の基板ボックス９２が形成されており、当該基板ボックス９２の内部空間内に主制御基板９１が収容されている。この場合、主制御基板９１の素子搭載面９７はその全体が、コネクタ用プレート１０４が一体化された表側構成体１０２と対向しており、主制御基板９１の半田面９８はその全体が、裏側構成体１０１と対向している。
【０１１９】
上記構成の主制御装置６３は、図５に示すように、表側構成体１０２の表面がパチンコ機１０後方を向き、且つコネクタ用プレート１０４が設けられた側の縁部が上側に位置するようにして搭載されている。ちなみに、遊技場への設置状態において遊技機本体１２を外枠１１からパチンコ機１０前方に開放させることにより、遊技機本体１２の背面側が視認可能となる。この場合に、主制御装置６３は遊技機本体１２の背面部を構成しており、さらには上記のとおり表側構成体１０２の表面がパチンコ機１０後方を向いているため、遊技機本体１２を外枠１１に対して開放することで表側構成体１０２の表面が視認可能となる。なお、裏パックユニット１５により主制御装置６３の全部又は一部が後方から覆われた構成としてもよい。この場合であっても、裏パック７１が透明に形成されていることにより、遊技機本体１２を外枠１１に対して開放することで表側構成体１０２の表面が視認可能となる。
【０１２０】
なお、裏側構成体１０１と表側構成体１０２とは、複数の結合手段によって結合されているが、これら両構成体１０１，１０２の結合に関する構成についての詳細は後述する。
【０１２１】
ここで、基板ボックス９２の開放を容易に行うための開放容易化構造について説明する。なお、以下の説明では、図７〜図９に加えて、図１０〜図１２を適宜参照することとする。図１２は開放容易化構造を説明するために基板ボックス９２の正面を一部拡大して示す説明図、図１１及び図１２は開放容易化構造を説明するための説明図である。
【０１２２】
図７に示すように、表側構成体１０２の表側壁部１２１には、当該表側壁部１２１の所定の領域を区画するようにしてボックス側切断部（ボックス側の脆弱部）１５１が形成されている。ボックス側切断部１５１は、表側壁部１２１を基板ボックス９２の内外に貫通するようにして形成された多数（又は複数）の貫通孔１５２により構成されている。
【０１２３】
詳細には、多数の貫通孔１５２は表側壁部１２１の周縁に沿って等間隔で形成されており、当該多数の貫通孔１５２は表側壁部１２１の所定の領域を囲むようにして並んでいる。つまり、ボックス側切断部１５１は、表側壁部１２１の所定の領域を囲む断続的な環状に形成されている。換言すれば、ボックス側切断部１５１として、断続的な環状の切断ガイド線が形成されている。それら貫通孔１５２は、長孔状をなしており、その長手方向が切断ガイド線に沿うように配置されている。このように貫通孔１５２を配置することで、貫通孔１５２の大型化を抑えつつ、切断の容易化に貢献することができる。また、ボックス側切断部１５１は矩形枠状、具体的には長方形枠状に形成されている。また、表側壁部１２１においてボックス側切断部１５１により区画された領域は、表側壁部１２１において主制御基板９１のＣＰＵチップ９３及びその周辺と対向する領域となっている。なお、貫通孔１５２が丸孔状をなす構成とすることも可能ではある。しかしながら、かかる場合、孔の大きさが直接的に不正治具等の挿入のしやすさに繋がることが懸念される。すなわち、孔径を大きくすることで切断ガイド線上における肉部の占有領域を大きくすることが可能となり、切断作業の容易化が図られる反面、孔径が大きくなることで、不正治具等の挿入が容易となり得る。この点、上述の如く貫通孔１５２を長孔状とすれば、不正治具等の挿入の困難さを担保しつつ、切断ガイド線上における肉部の占有領域を大きくすることが可能となる。故に、望ましくは貫通孔を切断ガイド線に沿って延びる長孔状とするとよい。
【０１２４】
ちなみに、ボックス側切断部１５１は表側構成体１０２の金型による成型（射出成型）に際して同時に形成される。つまり、表側構成体１０２の金型にはボックス側切断部１５１の貫通孔１５２を形成するための型が設けられている。この場合に、ボックス側切断部１５１の貫通孔１５２は表側構成体１０２において表側壁部１２１にのみ形成されているため、金型構造の複雑化を招くことなく、ボックス側切断部１５１を有する表側構成体１０２の形成を容易に行うことができる。すなわち、表側構成体１０２は一方に開放された箱状に形成されているため、金型において成型後の表側構成体１０２の抜き方向は自ずと規定される。この場合に、ボックス側切断部１５１の貫通孔１５２は表側壁部１２１において当該表側壁部１２１の厚み方向に貫通するように形成されているため、表側構成体１０２の上記抜き方向と貫通孔１５２の貫通方向とが同一方向となっている。よって、表側構成体１０２の金型構造が複雑化しないようにすることができる。
【０１２５】
隣り合う貫通孔１５２間の間隔は、ニッパやカッタなどによる工具により、隣り合う貫通孔１５２間の領域を容易に切断可能なように設定されている。具体的には貫通孔１５２間の間隔寸法は、貫通孔１５２の長手方向における長さ寸法よりも小さく設定されている。これにより、ボックス側切断部１５１は表側壁部１２１において他の部位に比べ脆弱な領域となっている。
【０１２６】
ボックス側切断部１５１を全周に亘って切断することにより、図１１及び図１２に示すように、ボックス側切断部１５１により区画されていた領域（以下、ボックス側除去領域１５３ともいう）を表側構成体１０２から除去することが可能となり、除去することで基板ボックス９２の内部空間を開放させることが可能となる。この場合、ボックス側除去領域１５３はその全体が表側構成体１０２から分離され、図１１に示すように、当該表側構成体１０２には矩形状、具体的には長方形状の開口１５４が形成される。なお、当該開口１５４の長辺部は表側壁部１２１の長辺部に沿っており、開口１５４の短辺部は表側壁部１２１の短辺部に沿っている。
【０１２７】
ボックス側切断部１５１を切断してボックス側除去領域１５３を除去することにより、上記のとおり基板ボックス９２の内部空間が開放されることとなる。この場合、図１１に示すように、主制御基板９１の素子搭載面９７（詳しくはＣＰＵチップ９３）が露出する。ＣＰＵチップ９３が露出することで、当該ＣＰＵチップ９３を主制御基板９１から取り外すことが可能となる。
【０１２８】
一方、主制御基板９１は、ボックス側除去領域１５３の除去を行ったとしても基板ボックス９２内から取り出すことはできない。つまり、主制御基板９１は上述したように裏側構成体１０１に対して破断ネジ１１７を用いて固定されている。また、主制御基板９１の少なくとも長辺部は、ボックス側除去領域１５３の長辺部よりも、すなわちボックス側除去領域１５３を除去することにより基板ボックス９２に形成される開口の長辺部よりも長さ寸法が大きく設定されている。したがって、図１０に示すように、ボックス側除去領域１５３を主制御基板９１側に投影させた場合に当該投影させた領域よりも主制御基板９１の周縁部が外方にはみ出している。そして、主制御基板９１においてはみ出した領域は、少なくとも一対の対向する両端側に存在している。さらにまた、主制御基板９１において両端側にはみ出した領域は、表側構成体１０２の表側周壁部１２２と対向しているとともに、当該表側周壁部１２２と対向している領域に上記破断ネジ１１７による固定部位が存在している。
【０１２９】
上記構成であることにより、ボックス側除去領域１５３の除去を行ったとしても、主制御基板９１を基板ボックス９２内から取り出すことはできない。これにより、上記のように表側構成体１０２にボックス側除去領域１５３を設けた構成において、当該ボックス側除去領域１５３を除去し純正の主制御基板９１を簡単に入手しようとしても、それを行いづらくすることが可能となる。
【０１３０】
主制御基板９１の取り外しが規制された構成において、当該主制御基板９１には、図８及び図１０に示すように、基板側切断部１６１が形成されている。基板側切断部１６１は、主制御基板９１をその厚み方向に貫通するようにして形成された多数（又は複数）の貫通孔１６２により構成されている。
【０１３１】
詳細には、多数の貫通孔１６２は主制御基板９１の周縁に沿って等間隔で形成されており、当該多数の貫通孔１６２は主制御基板９１の所定の領域を囲むようにして並んでいる。つまり、基板側切断部１６１は、主制御基板９１の所定の領域を囲む断続的な環状に形成されている。換言すれば、基板側切断部１６１として、断続的な環状の切断ガイド線が形成されている。また、基板側切断部１６１は矩形枠状、具体的には長方形枠状に形成されている。なお、主制御基板９１に搭載されているＣＰＵチップ９３を含めた各種素子及びコネクタは全て、基板側切断部１６１により区画された領域内に含まれている。
【０１３２】
図８に示すように、基板側切断部１６１により区画された領域（以下、基板側除去領域１６３）の範囲内にＣＰＵチップ９３が設置されているのに対して、破断ネジ１１７による裏側構成体１０１に対する主制御基板９１の固定箇所は基板側除去領域１６３の領域の範囲外にある。また、基板側切断部１６１における隣り合う貫通孔１６２間の間隔は、ニッパやカッタなどによる工具により、隣り合う貫通孔１６２間の領域を容易に切断可能なように設定されている。ちなみに、基板側切断部１６１の貫通孔１６２とボックス側切断部１５１の貫通孔１５２とは同一の開口面積を有しており、さらには基板側切断部１６１における隣り合う貫通孔１６２間の距離はボックス側切断部１５１における隣り合う貫通孔１５２間の距離と同一となっている。したがって、ボックス側切断部１５１を切断する工具を用いて、基板側切断部１６１を切断することができる。なお、ボックス側切断部１５１と基板側切断部１６１とで、それぞれ異なる工具を要する構成としてもよい。
【０１３３】
基板側除去領域１６３は、その面積がボックス側除去領域１５３の面積よりも小さく設定されている。また、基板側除去領域１６３は、図１０に示すように、ボックス側除去領域１５３を主制御基板９１側に投影させた場合に当該投影させた領域の範囲内に含まれるように形成されている。したがって、ボックス側除去領域１５３を除去することにより、基板側除去領域１６３の全体、すなわち基板側切断部１６１の全体が露出することとなる。そして、この状態で、基板側切断部１６１を切断することで、ボックス側除去領域１５３を除去することにより基板ボックス９２に形成された開口１５４を通じて、基板側除去領域１６３を取り出すことができる。この場合、開口１５４を通じて、基板側切断部１６１の全体が露出しているため、当該基板側切断部１６１の切断作業及び基板側除去領域１６３の取り出し作業を行い易くなっている。
【０１３４】
ここで、図１０に示すように、主制御基板９１の少なくとも素子搭載面９７側の配線パターン１６４は、当該配線パターン１６４を構成する一部の配線１６５が基板側切断部１６１を跨ぐようにして形成されている。つまり、配線１６５は、基板側切断部１６１における隣り合う貫通孔１６２間の領域を跨ぐようにして形成されている。したがって、基板側除去領域１６３を基板ボックス９２から取り出すべく、基板側切断部１６１を切断した場合には、主制御基板９１の配線パターン１６４が断線されることとなる。これにより、基板側切断部１６１を切断して基板側除去領域１６３を取り出した後に当該基板側除去領域１６３を元の位置に戻したとしても、配線パターン１６４が断線された状態は維持されるため、主制御基板９１は正常に機能しない。よって、基板側除去領域１６３を基板ボックス９２から取り出して当該基板側除去領域１６３に不正を施した後に元の位置に戻す不正行為が行われたとしても、その際には主制御基板９１が正常に機能しなくなることで、当該不正行為を実質的に無効化させることが可能となる。
【０１３５】
次に、遊技場において検査を行うためにＣＰＵチップ９３及び主制御基板９１を基板ボックス９２内から取り出す場合の作業の様子について説明する。図１３はＣＰＵチップ９３及び主制御基板９１を基板ボックス９２内から取り出す場合の作業の様子を説明するための説明図である。
【０１３６】
先ず、遊技場においてＣＰＵチップ９３の検査を行う場合について説明する。始めに、図１３（ａ）に示すように、遊技機本体１２から主制御装置６３を取り出す。その後、図１３（ｂ）に示すように、表側構成体１０２のボックス側切断部１５１を切断して、ボックス側除去領域１５３を除去する。これにより、基板ボックス９２内が開放され、主制御基板９１の素子搭載面９７が露出した状態となり、ＣＰＵチップ９３へのアクセス（物理的な接触）が可能となる。ＣＰＵチップ９３は上記のとおり主制御基板９１に対して半田付けされていないため、ＣＰＵチップ９３を素子搭載面９７の向く方向に引き抜くことで、ＣＰＵチップ９３の取り外しを容易に行うことができる。これにより、ＣＰＵチップ９３の検査を入念に行うことができる。
【０１３７】
次に、主制御基板９１の基板側除去領域１６３を基板ボックス９２内から取り出す場合の作業の様子について説明する。図１３（ｂ）に示すように、表側構成体１０２のボックス側切断部１５１を切断して、ボックス側除去領域１５３を除去した後、図１３（ｃ）に示すように、主制御基板９１の基板側切断部１６１を切断する。これにより、主制御基板９１の基板側除去領域１６３を取り出すことができ、主制御基板９１における基板側除去領域１６３の領域の検査を入念に行うことができる。この場合、基板側切断部１６１はボックス側切断部１５１を切断するための工具を用いて切断することができるため、基板側除去領域１６３を取り出す作業を比較的容易に行うことができる。
【０１３８】
ここで、上記のようにＣＰＵチップ９３及び基板側除去領域１６３の基板ボックス９２からの取り出しを容易に行うことができるようにした構成においては、その容易化の構造を用いて、ＣＰＵチップ９３又は主制御基板９１の不正目的での取り出しも容易に行うことができてしまう。これに対して、上記のとおりＣＰＵチップ９３の基板ボックス９２からの取り出しに際しては基板ボックス９２からボックス側除去領域１５３を除去する必要があり、当該基板ボックス９２には大きな開口１５４が形成されることとなる。そうすると、ＣＰＵチップ９３の不正目的での取り出しが行われていた場合にはそれを容易に発見することができる。
【０１３９】
また、上記のとおり主制御基板９１の基板ボックス９２からの取り出しに際しては基板ボックス９２からボックス側除去領域１５３を除去する必要があるとともに、基板側切断部１６１を切断して主制御基板９１から基板側除去領域１６３を取り出す必要がある。基板ボックス９２からボックス側除去領域１５３を除去することで当該基板ボックス９２には大きな開口１５４が形成されることとなる。また、主制御基板９１から基板側除去領域１６３を取り出すことで当該主制御基板９１には大きな開口が形成されることとなる。そうすると、主制御基板９１の不正目的での取り出しが行われていた場合には、基板ボックス９２に形成された開口１５４又は主制御基板９１に形成された開口の少なくとも一方を確認することにより、それを容易に発見することができる。
【０１４０】
次に、ＣＰＵチップ９３や主制御基板９１の検査後においてこれらＣＰＵチップ９３や主制御基板９１を基板ボックス９２内に仮収容するための構成について説明する。
【０１４１】
先ず、ＣＰＵチップ９３のみを取り出した後に当該ＣＰＵチップ９３を基板ボックス９２に仮収容するための構成について説明する。
【０１４２】
既に説明したように、裏側構成体１０１には複数のボックス仮固定用ボス１１６が一体形成されており、各ボックス仮固定用ボス１１６にはネジ孔が形成されている。これらボックス仮固定用ボス１１６に１対１で対応させて、基板ボックス９２のボックス側除去領域１５３の四隅には、図１１及び図１２に示すように、ボックス仮固定用ボス１７１が一体形成されている。当該ボックス仮固定用ボス１７１は、ボックス側除去領域１５３の裏面から裏側構成体１０１側に延びており、ネジ孔が形成されている。当該ネジ孔は、ボックス仮固定用ボス１７１を貫通しており、ボックス側除去領域１５３の表側において開口されている。
【０１４３】
ボックス側除去領域１５３を除去してＣＰＵチップ９３を取り出した後は、当該ＣＰＵチップ９３を再度、主制御基板９１に取り付けるとともに、ボックス側除去領域１５３を基板ボックス９２の元の位置に配置する。この場合、裏側構成体１０１の各ボックス仮固定用ボス１１６に対して、ボックス側除去領域１５３のそれぞれ対応するボックス仮固定用ボス１７１が重なり、両ボス１１６，１７１のネジ孔は連通される。そして、この状態において、ボックス側除去領域１５３の表側から破断ネジを螺着することにより、ボックス側切断部１５１は切断されているものの、ＣＰＵチップ９３及び主制御基板９１が基板ボックス９２内に収容された状態となる。
【０１４４】
ここで、遊技場においてＣＰＵチップ９３を基板ボックス９２から取り出して入念に検査した後に、当該ＣＰＵチップ９３を遊技機メーカにおいて再検査を行う場合などがある。この場合としては、ＣＰＵチップ９３の検査結果が異常であり、当該ＣＰＵチップ９３の不正交換などが行われていた場合が考えられる。このような場合に、基板ボックス９２に開口１５４が形成されたまま主制御装置６３が遊技機メーカに搬送される場合を想定すると、搬送途中にＣＰＵチップ９３が破損して当該ＣＰＵチップ９３の再検査を行うことができなくなってしまう可能性がある。これに対して、上記のようにボックス側除去領域１５３により基板ボックス９２の開口１５４を再度閉鎖することで、搬送途中におけるＣＰＵチップ９３の破損の発生が抑制される。
【０１４５】
また、ＣＰＵチップ９３の不正交換を行った不正行為者が、主制御装置６３の遊技機メーカへの搬送途中において正規のＣＰＵチップ９３に再度交換する行為が想定される。これに対して、上記のとおりボックス側除去領域１５３を破断ネジにより螺着することで、ボックス側除去領域１５３を取り外しづらくなり、正規のＣＰＵチップ９３に再度交換しようとする行為を行いづらくすることが可能となる。
【０１４６】
なお、主制御装置６３の遊技機メーカへの搬送途中における不都合として、前者のもののみを想定する場合、ボックス側除去領域１５３の仮固定は破断ネジである必要はなく、着脱自在な周知のネジを用いて行えばよい。
【０１４７】
次に、主制御基板９１の基板側除去領域１６３を取り出した後に当該基板側除去領域１６３を基板ボックス９２に仮収容するための構成について説明する。
【０１４８】
既に説明したように、裏側構成体１０１には複数の基板仮固定用ボス１１５が一体形成されており、各基板仮固定用ボス１１５にはネジ孔が形成されている。これら基板仮固定用ボス１１５に１対１で対応させて、基板側除去領域１６３の四隅には、図８に示すように、仮固定用貫通孔１７２が形成されている。
【０１４９】
ボックス側除去領域１５３を除去するとともに、基板側切断部１６１を切断して基板側除去領域１６３を取り出した後は、当該基板側除去領域１６３を裏側構成体１０１上における元の位置に配置する。この場合、裏側構成体１０１の基板仮固定用ボス１１５のネジ孔に対して、ボックス側除去領域１５３のそれぞれ対応する仮固定用貫通孔１７２が連通される。この状態において、基板側除去領域１６３の素子搭載面９７側から破断ネジを螺着することにより、基板側切断部１６１は切断されているものの、裏側構成体１０１に対して基板側除去領域１６３が固定される。その後、既に説明したように、ボックス側除去領域１５３を各ボックス仮固定用ボス１１６，１７１を通じて仮固定することにより、ボックス側切断部１５１は切断されているものの、ＣＰＵチップ９３及び主制御基板９１が基板ボックス９２内に収容された状態となる。
【０１５０】
ここで、遊技場において主制御基板９１の基板側除去領域１６３を基板ボックス９２から取り出して入念に検査した後に、当該基板側除去領域１６３を遊技機メーカにおいて再検査を行う場合などがある。この場合としては、基板側除去領域１６３の検査結果が異常であり、主制御基板９１の不正交換などが行われていた場合が考えられる。このような場合に、基板ボックス９２に開口１５４が形成されたまま主制御装置６３が遊技機メーカに搬送される場合を想定すると、搬送途中に基板側除去領域１６３が破損して当該基板側除去領域１６３の再検査を行うことができなくなってしまう可能性がある。これは、基板ボックス９２内において基板側除去領域１６３が固定されていない場合も同様である。これに対して、上記のように基板側除去領域１６３を裏側構成体１０１に固定するとともに、ボックス側除去領域１５３により基板ボックス９２の開口１５４を再度閉鎖することで、搬送途中における基板側除去領域１６３の破損の発生が抑制される。
【０１５１】
また、主制御基板９１の不正交換を行った不正行為者が、主制御装置６３の遊技機メーカへの搬送途中において正規の基板側除去領域１６３に交換する行為が想定される。これに対して、上記のとおりボックス側除去領域１５３及び基板側除去領域１６３をそれぞれ破断ネジにより螺着することで、ボックス側除去領域１５３及び基板側除去領域１６３を取り外しづらくなり、正規の基板側除去領域１６３に交換しようとする行為を行いづらくすることが可能となる。
【０１５２】
なお、主制御装置６３の遊技機メーカへの搬送途中における不都合として、前者のもののみを想定する場合、ボックス側除去領域１５３及び基板側除去領域１６３の仮固定は破断ネジである必要はなく、着脱自在な周知のネジを用いて行えばよい。
【０１５３】
以下、裏側構成体１０１と表側構成体１０２との結合に関する構成について詳細に説明する。表側構成体１０２と裏側構成体１０１との結合手段として、（１）接着剤、（２）結合機構が設けられている。そこで、これら各結合手段について個別に説明する。
【０１５４】
接着剤は、裏側構成体１０１における端面１１９と表側構成体１０２における端面１２３との全域に塗布されている。これにより、裏側周壁部１１８と表側周壁部１２２とが接着されており、裏側構成体１０１と表側構成体１０２とが固定されている。このように両構成体１０１，１０２の境界部位が塞がれることで、同境界部分から基板ボックス９２の内部空間内に不正用治具を挿入しようとしても、そのような行為は行いづらくなっている。
【０１５５】
なお、接着剤としては、裏側構成体１０１と表側構成体１０２とを固定することができるのであれば周知の接着剤を用いることができ、例えば、アクリル樹脂系接着剤、ウレタン樹脂系接着剤、エチレン―酢酸ビニル樹脂系接着剤、エポキシ樹脂系接着剤、シリコーン系接着剤などを用いてもよく、それら接着剤は、反応系、溶液系、水分散系、固形系のいずれであってもよい。
【０１５６】
次に、上述した結合機構１７５について図８〜図１０及び図１４に基づいて説明する。図１４（ａ）は図５のＡ−Ａ線部分断面図、図１４（ｂ）は結合機構１７５の構成を示す分解斜視図である。
【０１５７】
結合機構１７５は、基板ボックス９２の内部空間に収容された対をなす結合体１７６，１７７によって構成されており、それら両結合体１７６，１７７が相互に結合することにより、裏側構成体１０１と表側構成体１０２とが一体化される構成となっている。より具体的には、これら各結合体１７６，１７７は、上述した規定方向への両構成体１０１，１０２の相対移動に伴ってそれら各結合体１７６，１７７の相対位置が変化することに基づき結合状態へと移行される構成となっている。
【０１５８】
結合体１７６，１７７は裏側構成体１０１側と表側構成体１０２側とに分けて配置されている。以下、説明の便宜上、裏側構成体１０１側に配された結合体を「裏側結合体１７６」と称し、表側構成体１０２側に配された結合体を「表側結合体１７７」とも称する。
【０１５９】
図８に示すように、裏側結合体１７６は、裏側平板部１１１及び裏側周壁部１１８によって区画された領域に収容されており、裏側平板部１１１の内面に対して固定されている。裏側結合体１７６は、裏側平板部１１１における表側壁部１２１と対峙している領域、具体的には前記区画枠部１１３によって区画された領域の四隅にそれぞれ配置されている。これら裏側結合体１７６との干渉を回避するように、主制御基板９１の角部が切り欠かれており、それら裏側結合体１７６は、主制御基板９１によって遮られることなく、表側壁部１２１に向けて突出した状態となっている。
【０１６０】
一方、表側結合体１７７についても同様に、そのほぼ全体が表側壁部１２１及び表側周壁部１２２によって区画された領域に収容されており、表側壁部１２１の内面に対して固定されている（図９参照）。表側結合体１７７は、表側壁部１２１における裏側結合体１７６と対峙している部位に配置されている。より詳しくは、表側結合体１７７は、両構成体１０１，１０２の規定の相対移動方向において、裏側結合体１７６と重なるように配置されている。
【０１６１】
ここで、図１４に基づき、各結合体１７６，１７７について詳しく説明する。裏側結合体１７６は、裏側平板部１１１に対する取付部としての裏側基部１８０を備えている。裏側基部１８０は、裏側平板部１１１と平行な板状をなし、この裏側基部１８０の板面が裏側平板部１１１に対して接着されることで、裏側構成体１０１と裏側結合体１７６とが固定、すなわち一体化されている。裏側基部１８０には、同裏側基部１８０から表側壁部１２１（詳しくは表側結合体１７７）に向かって延びる円柱状の裏側スペーサ部１８１が一体成形されている。換言すれば、裏側スペーサ部１８１の中心軸線が両構成体１０１，１０２の規定の相対移動方向と同一方向を向くように設定されている。
【０１６２】
また、表側結合体１７７は、裏側結合体１７６と同様に、表側壁部１２１に対する取付部としての表側基部１９０を備えている。表側基部１９０が裏側平板部１１１に対して接着されることで、裏側構成体１０１と表側結合体１７７とが固定、すなわち一体化されている。表側基部１９０には、同表側基部１９０から裏側スペーサ部１８１に向かって延びる円柱状の表側スペーサ部１９１が一体成形されており、この表側スペーサ部１９１の中心軸線は裏側スペーサ部１８１の中心軸線と重なるように設定されている。そして、これらスペーサ部１８１，１９１の端面同士がその全域において相互に当接した状態となっている。このように、対向する裏側平板部１１１と表側壁部１２１に設けられた結合体１７６，１７７同士がそれら端面にて当接していることにより、同結合体１７６，１７７にはそれら裏側平板部１１１及び表側壁部１２１を支える支柱としての機能が付与されている。なお、説明の便宜上、裏側スペーサ部１８１の端面を裏側当接面１８２，表側スペーサ部１９１の端面を表側当接面１９２とも称することとする。
【０１６３】
表側結合体１７７には、表側当接面１９２から突出する結合金具１９５がインサート成形されており、裏側結合体１７６には結合金具１９５が嵌まる収容部１８３が形成されている。結合金具１９５は、両当接面１８２，１９２の境界を跨ぐ長板状の本体部１９６と、その本体部１９６から当該本体部１９６の先端側を根元として切り起こしされた傾斜部１９７とを有している。より詳しくは、本体部１９６は前記規定の相対移動方向と同一方向に延びており、傾斜部１９７はその相対移動方向と交差する方向に突出している。そして、傾斜部１９７は、その根元部分を基端として撓み変形（詳しくは弾性変形）可能となっており、その変形に基づいて傾斜部１９７の本体部１９６からの突出量が変化する。
【０１６４】
収容部１８３は、結合金具１９５に対応して形成されており、裏側当接面１８２から前記案内方向に向けて凹む穴状をなしている。より具体的には、収容部１８３は、傾斜部１９７が突出している状態の結合金具１９５をその内部に収容可能に設定されている。また、収容部１８３の開口縁には、その開口縁の内側に向けて突出し、傾斜部１９７と当たるストッパ部１８４が形成されている。詳述すれば、ストッパ部１８４は、収容部１８３の開口縁における所定の部分、すなわち傾斜部１９７が突出している側と同一側に形成されており、同ストッパ部１８４によって収容部１８３の開口が本体部１９６の通過が許容される程度に狭められている。このように形成されたストッパ部１８４に対して、収容部１８３の内部に挿入された傾斜部１９７が引っ掛かかっていることにより、両結合体１７６，１７７が結合された状態となっている。なお、結合体１７６，１７７は結合金具１９５を除き、透明性を有する合成樹脂材料によって成形されており、これら結合体１７６，１７７の外部からの結合状態（結合金具１９５の引っ掛かり状態）の確認が可能となっている。
【０１６５】
また、図１４（ａ）に示すように、両結合体１７６，１７７における当接面１８２，１９２間の境界部位Ｂ１は、両構成体１０１，１０２間（詳しくは端面１１９，１２３間）の境界部位Ｂ２の延長上から離れた位置に設定されている。具体的には、境界部位Ｂ２の延長上には裏側結合体１７６の裏側スペーサ部１８１が位置している。このため、仮に境界部位Ｂ２を介して不正具等が挿入された場合であっても、境界部位Ｂ１へのアクセスは困難なものとなっている。これにより、結合金具１９５による結合状態が不正に解除されるといった不都合が生じにくくなっている。
【０１６６】
同図１４（ａ）示すように、結合金具１９５の表側当接面１９２からの突出量Ｌ１は、両構成体１０１，１０２を組み合わせる際のガイドストローク量、すなわち、上記遮蔽部１２４の裏側周壁部１１８からの起立量Ｌ２よりも小さく設定されている。このため、両構成体１０１，１０２が組み合わされる際には、遮蔽部１２４によって規定された相対移動方向への移動が始まった後に、結合金具１９５の先端が収容部１８３に挿入されることとなる。
【０１６７】
ここで、基板ボックス９２の組み付け作業について図１５に基づき説明する。図１５は、両構成体１０１，１０２の組み付けの様子を示す部分概略図であり、両構成体１０１，１０２を組み付けする際には、図１５（ａ）→図１５（ｂ）→図１５（ｃ）→図１５（ｄ）の順に作業が行われる。
【０１６８】
図１５（ａ）に示すように両構成体１０１，１０２を組み付ける際には、それら各構成体１０１，１０２の開放されている部分が互いに向き合うように構える。両構成体１０１，１０２を近づける際には、先ず、図１５（ｂ）に示すように、裏側構成体１０１の遮蔽部１２４に対して、表側構成体１０２の表側周壁部１２２の内面を接触させる。そして、表側側構成体１０２を遮蔽部１２４に沿って移動させることにより、所定の相対移動方向に向けて組み付けの案内がなされることとなる。なお、組み付けの案内が開始された時点では、各結合体１７６，１７７は、所定の距離を隔てて対峙した状態となっている。また、上述の如く両構成体１０１，１０２がともに透明性を有するため、両構成体１０１，１０２（詳しくは表側周壁部１２２及び遮蔽部１２４）の位置合わせを行う際に、遮蔽部１２４と表側周壁部１２２との相対位置を目視にて把握しやすくなっており、作業の効率化が図られている。
【０１６９】
遮蔽部１２４による組み付けの案内に従って、更に両構成体１０１，１０２を近づけると、結合金具１９５の先端部が収容部１８３に挿入されることとなる。このように相対移動方向が限定されている状態においては、遮蔽部１２４と表側周壁部１２２とが接触し、両構成体１０１，１０２の組み付け方向と交差する方向への位置ばらつきが抑えられており、結合金具１９５の先端部が収容部１８３以外の部位に当たることが好適に回避される。
【０１７０】
そして両構成体１０１，１０２が所定の距離まで近づけると、図１５（ｃ）に示すように、傾斜部１９７は、ストッパ部１８４に接触し、その根元部分を基端として撓み変形（詳しくは弾性変形）する。これにより、傾斜部１９７が本体部１９６に対して折りたたまれた状態となり、すなわち本体部１９６からの突出が抑えられた状態となり、結合金具１９５の収容部１８３奥方への移動が許容される。かかる状態においては、傾斜部１９７は元の突出した位置に向かって付勢された状態となっている。
【０１７１】
図１５（ｄ）に示すように、両構成体１０１，１０２が組み付け完了位置に到達する各構成体１０１，１０２の端面１１９，１２３同士が接触する。これに同期して、傾斜部１９７は収容部１８３内において自身の弾性力により元の状態に復元する。そして、傾斜部１９７の先端部がストッパ部１８４に引っ掛かることとなる。これにより、両構成体１０１，１０２が結合状態に移行され、それら両構成体１０１，１０２の組み付け作業が終了する。このように、組み付け作業が終了した後は、両結合体１７６，１７７へのアクセスが規制され、両構成体１０１，１０２の分離が不可となる。
【０１７２】
次に、パチンコ機１０の電気的構成について、図１５のブロック図に基づいて説明する。図１５では、電力の供給ラインを二重線矢印で示し、信号ラインを実線矢印で示す。
【０１７３】
主制御装置６３に設けられた主制御基板９１には、主制御回路２０２と停電監視回路２０３とが内蔵されている。主制御回路２０２には、ＣＰＵチップ９３が搭載されている。ＣＰＵチップ９３には、当該ＣＰＵチップ９３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０１７４】
ＣＰＵチップ９３には、入力ポート及び出力ポートがそれぞれ設けられている。ＣＰＵチップ９３の入力側には、主制御基板９１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵチップ９３には停電監視回路２０３を介して電力が供給される。
【０１７５】
一方、ＣＰＵチップ９３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０１７６】
停電監視回路２０３は、主制御回路２０２と電源及び発射制御基板２１５とを中継し、また電源及び発射制御基板２１５から出力される最大電圧である直流安定２４ボルトの電圧を監視する。
【０１７７】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０１７８】
払出制御基板２１１のＣＰＵ２１２には、入出力ポートが設けられている。ＣＰＵ２１２の入力側には、主制御回路２０２、電源及び発射制御基板２１５、及び裏パック基板７９が接続されている。また、ＣＰＵ２１２の出力側には、主制御回路２０２及び裏パック基板７９が接続されている。
【０１７９】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０１８０】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０１８１】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０１８２】
以上詳述した本実施の形態によれば、以下の優れた効果を奏する。
【０１８３】
結合機構１７５（詳しくは結合体１７６，１７７）は、基板ボックス９２の内部空間に収容されている。これにより、結合機構１７５の基板ボックス９２外部への露出を回避し、基板ボックス９２外部からの結合機構１７５へのアクセス（物理的な接触）を難しくすることができる。このように両結合体１７６，１７７へのアクセスを困難なものとすることで、両構成体１０１，１０２の結合状態の解除を行いにくくし、主制御基板９１やＣＰＵチップ９３の不正な取り外し等を抑制することができる。
【０１８４】
対をなす結合体１７６，１７７を、基板ボックス９２の４隅に配置した。これにより、両構成体１０１，１０２の離れ、すなわち両構成体１０１，１０２の境界部位の広がりを好適に抑制することができる。このように境界部位の広がりを抑えることで、同境界部位を介して不正具等が挿入されるといった不都合を好適に抑制することができる。また、基板ボックス９２の隅に配置することで、主制御基板９１との干渉を回避しやすくすることができる。故に、基板ボックス９２の内部空間という限られた領域において、主制御基板９１との共存を好適に実現している。
【０１８５】
両構成体１０１，１０２の組み付け作業に基づいて、結合体１７６，１７７同士が結合される構成とした。すなわち、両構成体１０１，１０２に所定の組み付け方向を設定するとともに、結合体１７６，１７７の結合にも所定の作業方向を設定し、それら各方向が同一方向となる構成とした。これにより、両構成体１０１，１０２の組み付け作業と、結合体１７６、１７７の結合作業を統合することができ、作業の簡略化が図られている。本実施の形態においては特に、基板ボックス９２の内部空間に結合体１７６，１７７を収容する構成としたため、両結合体１７６，１７７の結合を手作業にて行うことが困難になると想定される。仮に両構成体１０１，１０２の組み付け作業と、両結合体１７６，１７７の結合作業とを並行して行おうとすれば、作業が煩雑化すると考えられる。この点、上述の如く両構成体１０１，１０２の組み付け作業に伴って、各結合体１７６，１７７を結合させることができるため、作業の煩雑化を抑え、実用上好ましい構成が実現されている。
【０１８６】
また、仮に結合体１７６，１７７を目視にて確認しながら結合作業を行う場合、両ボックス構成体の組み付けばらつきに起因して、結合状態への移行が不完全なものとなり得る。この点、本実施の形態においては、規定手段を構成する遮蔽部１２４によって両構成体１０１，１０２の組み付け位置への案内がなされ、組み付け作業に伴う位置ばらつきが生じにくくなっている。すなわち、結合体１７６，１７７の結合作業を目視にて確認することなく、結合状態を実現可能となっている。故に、作業ばらつき等に起因して結合状態への移行が行われないといった不都合を生じにくくすることができる。
【０１８７】
上述したように複数組の結合体１７６，１７７を備える構成とした場合、防犯性の向上を期待できる反面、個別の結合作業を要することに起因して作業の煩雑化を招来し得る。この点、本実施の形態においては、上述したように全ての結合体１７６，１７７の結合作業が、両構成体１０１，１０２の組み付け作業に依存しており、個別に結合作業を行う必要がない。故に、複数組の結合体１７６，１７７を備える構成とすることで防犯性の向上を図りつつ、結合体１７６，１７７の組数が増加することに起因して組み付け作業が煩雑化することを回避することができる。
【０１８８】
また、遮蔽部１２４は両構成体１０１，１０２の組み付け案内機能に加え、両構成体１０１，１０２間の境界部位を塞ぐ遮蔽機能を有している。このため、両構成体１０１，１０２間の境界部位を介して不正具等が挿入されるといった不都合の発生を抑えることができる。また、結合体１７６，１７７を境界部位から離間して配し、境界部位と結合体１７６，１７７との間に遮蔽部１２４を配置したことで、基板ボックス９２の外部から、結合部位への不正なアクセスが行われにくくなっている。
【０１８９】
各結合体１７６，１７７のスペーサ部１８１，１９１が当接面１８２，１９２を介して連結することで、表側壁部１２１と裏側平板部１１１とを連結している。すなわち、これら結合体１７６，１７７は、表側壁部１２１と裏側平板部１１１とを支える支持部としての機能が付与されている。これら結合体１７６，１７７によって、表側壁部１２１や裏側平板部１１１の撓み等が抑えられ、これら表側壁部１２１や裏側平板部１１１の撓みにより、各構成体１０１，１０２間の境界が広がるといった不都合が生じにくくなっている。特に、結合体１７６，１７７によって、周壁部１１８，１２２よりもさらに主制御基板９１の中央に近い位置にて、表側壁部１２１及び裏側平板部１１１を支持することが可能となっているため、支持機能を好適に発揮できる。
【０１９０】
結合金具１９５の傾斜部１９７及びストッパ部１８４は、スペーサ部１８１，１９１の内部に区画された閉空間内に収容されている。このため、仮に両構成体１０１，１０２間の境界部位から不正具が挿入された場合であっても、結合体１７６，１７７の結合部位へのアクセスは困難なものとなっている。これにより、結合状態の不正解除がなされるといった不都合を好適に回避可能となっている。
【０１９１】
両結合体１７６，１７７の結合部位を主制御基板９１における素子搭載面９７側に配置した。これにより、主制御装置６３が遊技機本体１２に装着されている状態であっても、結合部位の確認を容易に行うことができる。このため、仮に不正な開放等により結合金具１９５等が変形又は破損等している場合には、このような不正事実を把握しやすくでき、防犯性の向上に貢献することができる。
【０１９２】
結合体１７６，１７７を基板ボックス９２の内部空間に配置することで、それら結合体１７６，１７７の結合状態の確認が困難となりえる。この点、本実施の形態においては両構成体１０１，１０２のみならず、結合体１７６，１７７（結合金具１９５を除く）を透明性を有する材料によって形成することで、視認性の担保が可能となっている。
【０１９３】
遮蔽部１２４による両構成体１０１，１０２の組み付けの案内が開始された後、結合金具１９５が収容部１８３に挿入される構成とした。このため、結合金具１９５が収容部１８３以外の部位に当たり、変形等することが好適に回避されている。故に、結合金具１９５の変形等に起因して、結合体１７６，１７７の結合機能が損なわれるといった不都合が生じにくくなっている。
【０１９４】
結合体１７６，１７７のスペーサ部１８１，１９１を円柱状とした。このため、仮に両構成体１０１，１０２間の境界部位から不正具が挿入され、当該不正具によって結合体１７６，１７７が押された場合であっても、不正具がスペーサ部１８１，１９１の表面に沿って逸れやすく（逃げやすく）なる。これにより、結合体１７６，１７７を押して変形させることで、結合部位へのアクセスを容易なものとされるといった不都合を生じにくくすることができ、更なる防犯性の向上に貢献することができる。
【０１９５】
主制御装置６３の基板ボックス９２には、ボックス側切断部１５１が形成されており、当該ボックス側切断部１５１を切断して、内部空間を規定している位置からボックス側除去領域１５３を除去した場合、遊技制御プログラムを記憶したＣＰＵチップ９３の取り外しを可能とする開口１５４が基板ボックス９２に形成される。そして、ボックス側切断部１５１は裏側構成体１０１と表側構成体１０２との結合状態を解除する場合よりも切断し易く形成されているため、遊技場においてＣＰＵチップ９３を基板ボックス９２から取り出して入念に検査する場合には、その作業を比較的容易に行うことができる。
【０１９６】
また、ボックス側切断部１５１を切断して基板ボックス９２の内部空間を開放させた場合には、当該基板ボックス９２に開口１５４が形成されるため、仮にＣＰＵチップ９３などに不正を行う目的でボックス側切断部１５１を切断して基板ボックス９２の内部空間が開放されていた場合にはその発見を比較的容易に行うことができる。
【０１９７】
さらには、上記のようにボックス側切断部１５１が設けられた構成においては、当該ボックス側切断部１５１によって基板ボックス９２の内部空間を良好に開放するための機能が果たされている。したがって、裏側構成体１０１と表側構成体１０２の固定に際しては、基板ボックス９２の内部空間を開放する場合の作業性を考慮する必要がなくなる。
【０１９８】
つまり、本実施の形態では、裏側結合体１７６と表側結合体１７７が基板ボックス９２の内部空間に収容されていることにより、両結合体１７６，１７７の結合がその結合解除が行いづらい状態で行われている。そして、従来のパチンコ機のように両結合体１７６，１７７による両構成体１０１，１０２の固定を解除するための積極的な脆弱部は設けられていない。また、裏側構成体１０１と表側構成体１０２との境界部分には接着剤が塗布されており、両構成体１０１，１０２が広範囲に亘って固定されているとともに、その境界部分から不正用治具を挿入しようとしてもそれが行いづらくなっている。以上のとおり、裏側構成体１０１と表側構成体１０２との固定が強固に行われており、それに伴って、裏側構成体１０１と表側構成体１０２とを不正に分離させようとする行為が行いづらくなっている。
【０１９９】
なお、上述した各実施の形態の記載内容に限定されず、例えば次のように実施してもよい。因みに、以下の別形態の構成を、上記実施の形態における構成に対して、個別に適用してもよく、相互に組み合わせて適用してもよい。
【０２００】
（ａ）上記実施の形態では、主制御基板９１を表側及び裏側から覆う２つの構成体１０１，１０２を用いて基板ボックス９２を形成したが、これに限定されるものではない。例えば、主制御基板９１の長手方向における両側又は短手方向における両側から同主制御基板９１を覆う２つの構成体を用いて基板ボックスを形成してもよい。
【０２０１】
また、裏側構成体１０１及び表側構成体１０２の両者を、互いに対峙する側（主制御基板９１側）に向けて解放された箱状をなす構成としたが、必ずしもこれに限定されるものではない。裏側構成体１０１及び表側構成体１０２の一方を、他方の開放部位を塞ぐ板状をなす構成とすることも可能である。
【０２０２】
（ｂ）上記実施の形態では、結合体１７６，１７７を各構成体１０１，１０２に固定する固定手段として接着剤を用いる構成としたが、これを変更し、ネジ等の締結具を用いる構成としてもよい。なお、望ましくは、上述した破断ネジ１１７と同様の破断ネジや周知のワンウェイネジ等を用いるとよい。これにより、結合体１７６，１７７の不正な取り外しを抑制できる。
【０２０３】
また、結合体１７６，１７７を各構成体１０１，１０２と別体で形成し、両者を固定手段（詳しくは接着剤）にて固定する構成としたが、これを変更し、各結合体１７６，１７７と各構成体１０１，１０２とを一体成形する構成としてもよい。
【０２０４】
（ｃ）上記実施の形態では、各結合体１７６，１７７によって、相対向する裏側平板部１１１と表側壁部１２１とを結合する構成としたが、これに限定されるものではない。例えば、裏側平板部１１１と表側周壁部１２２とを結合する構成としてもしてもよいし、表側壁部１２１と裏側周壁部１１８とを結合する構成としてもよい。また、図１７（ａ）に示すように、裏側構成体２５１の裏側周壁部２５２と表側構成体２５３の表側周壁部２５４とに、基板ボックス２５５の内方に突出する結合部２５６，２５７をそれぞれ形成し、それら結合部２５６，２５７を介して周壁部２５２，２５４が相互に結合される構成とすることも可能である。
【０２０５】
（ｄ）上記実施の形態では、両結合体１７６，１７７間の境界部位Ｂ１を両構成体１０１，１０２間の境界部位Ｂ２の延長上から離す構成とした。より具体的には、両結合体１７６，１７７間の境界部位Ｂ１が表側構成体１０２によって区画されている領域内に配置したが、これを以下のように変更することも可能である。すなわち、両結合体１７６，１７７間の境界部位Ｂ１を裏側構成体１０１によって区画されている領域内に配置することも可能である。
【０２０６】
更には、図１７（ｂ）に示すように、裏側結合体２６１，２６２のスペーサ部２６３，２６４の起立量を異なるものとし、表側結合体２６５，２６６のスペーサ部２６７，２６８の起立量を異なるものとすることも可能である。このように、それぞれの起立量を相違させることで、結合体２６１，２６２の境界部位と結合体２６５，２６６の境界部位とを規定の相対移動方向にてずらして配置することができる。このように、境界部位がずれた位置に存在すれば、各構成体２６９，２７０を組み付ける際に間違った組み付けがなされると、結合体２６１，２６２及び結合体２６５，２６６が異なる組み合わせで接触し、両構成体２６９，２７０が組み付け完了位置に到達することが妨げられる。このように、間違った組み付けが回避されることで、コネクタや各種素子等と表側構成体２７０との接触を好適に抑制することができる。すなわち、各結合体２６１，２６２，２６５，２６６の境界部位をずらす構成とすることで、それら結合体２６１，２６２，２６５，２６６に誤組み付け防止機能を付与することができる。
【０２０７】
また、上記実施の形態では、表側結合体１７７側に結合金具１９５を装着する構成としたが、裏側結合体１７６側に結合金具１９５を装着する構成としてもよい。例えば、図１７（ｂ）に示すように、結合金具２７１が表側結合体２６５側に装着され、結合金具２７２が裏側結合体２６２側に装着されていてもよい。
【０２０８】
なお、結合金具１９５に相当する部分を、表側結合体１７７に対して一体成形することも可能である。しかしながら、かかる場合、結合部位の視認性が低下することが懸念されるため、各結合体１７６，１７７の色を相違させることで、ストッパ部１８４と傾斜部１９７との区別をしやすくするとよい。
【０２０９】
（ｅ）上記実施の形態では、４組の結合体１７６，１７７を用いて各構成体１０１，１０２を結合する構成としたが、その数は４組に限定されるものではない。但し、基板ボックス９２内の限られた空間内にて両構成体１０１，１０２を結合する場合、主制御基板９１の取り外しを阻害することなく、それら構成体１０１，１０２の境界の離れを好適に抑えることが重要となる。上記実施の形態に示すように、両構成体１０１，１０２間の境界が略矩形状をなす場合、その境界の各隅部に結合体を配置することで、主制御基板９１との干渉を抑えつつ、境界の離れを抑えやすくすることができる。故に、望ましくは境界の四隅にそれぞれ対応する４組の結合体を用いるとよい。
【０２１０】
（ｆ）上記実施の形態では、遮蔽部１２４が両構成体１０１，１０２を組み合わせる際の案内機能を有する構成としたが、これを変更し、案内機能を有する部位を別途形成することも可能である。また、このような案内機能を結合体１７６，１７７に付与することも可能である。以下、その具体例について、図１７（ｃ）に基づき説明する。
【０２１１】
上記実施の形態においては、表側結合体１７７が略円柱状をなす構成としたが、これを変更し、表側結合体２８０が円筒状をなす構成とする。一方、裏側結合体２８１は表側結合体２８０の内部に収容される円柱状に形成する。より具体的には。裏側結合体２８１の外径を表側結合体２８０の内径とほぼ同一となるように設定する。両構成体２８２，２８３を組み合わせる際には、裏側結合体２８１が表側結合体２８０に収容されることで、両構成体２８２，２８３が組み付け完了位置に案内される。詳しくは、表側結合体２８０の内周面と裏側結合体２８１の外周面とが接触した状態で両構成体２８２，２８３が相対移動することで、両構成体２８２，２８３の組み付け完了位置へ案内される。更に、裏側結合体２８１には、結合金具１９５に代えて、その裏側結合体２８１の外周面から表側結合体２８０へ突出する係止片２８４が設けられている。係止片２８４は裏側結合体２８１の放射方向への移動が許容された状態で装着されており、図示せぬ付勢部材によって突出する側に向けて常時付勢された状態となっている。一方、表側結合体２８０には、係止片２８４が嵌まる開口部２８５が形成されており、それら係止片２８４及び開口部２８５が引っ掛かることで、両結合体２８０，２８１の結合状態が実現されている。係止片２８４は、裏側結合体２８１の根元側から先端側に向けて徐々に起立量が小さくなるように形成された傾斜面２８６を有しており、両構成体２８２，２８３が組み合わされる際に、表側結合体２８０の先端縁に傾斜面２８６が当たることで、係止片２８４が裏側結合体２８１の内方へ押される。これにより、係止片２８４の突出量が減少し、裏側結合体２８１が表側結合体２８０の内部を移動可能となる。両構成体２８２，２８３が所定の組み合わせ完了位置に到達した際に、係止片２８４は開口部２８５に至り、前記付勢部材の付勢力によって開口部２８５内に嵌まるように突出する。これにより上述した結合状態に移行される。
【０２１２】
以上詳述したように、遮蔽部１２４に代えて各結合体に案内機能を付与することも可能である。しかしながら、上記実施の形態における遮蔽部１２４は案内機能に加えて、両構成体１０１，１０２の境界部位を塞ぐ遮蔽機能を併せ有している。故に、遮蔽部１２４を残存させる方が好ましく、そのように遮蔽部１２４を残存させるのであれば、同遮蔽部１２４によって両構成体１０１，１０２の組み合わせ案内を行うことが好ましい。
【０２１３】
（ｇ）上記実施の形態では、各結合体１７６，１７７のスペーサ部１８１，１９１が円柱状をなす構成としたが、角柱状をなす構成とすることも可能である。但し、角柱状とした場合、以下の不都合が生じやすくなると懸念される。すなわち、仮に構成体１０１，１０２間の境界部位を介して不正具が挿入された場合に、その不正具がスペーサ部１８１，１９１に当たるとその外力を逸らすことが難しくなると想定される。故に、望ましくは、スペーサ部１８１，１９１を円柱状とするとよい。
【０２１４】
（ｈ）上記実施の形態では、主制御基板９１に基板側切断部１６１を形成し、その基板側切断部１６１を切断することで、主制御基板９１（詳しくは基板側除去領域１６３）の取り外しを可能としたが、これを変更し、結合体１７６，１７７に切断部を設け、切断部を切断することにより、主制御基板９１の取り外しを可能としてもよい。以下、その具体例について図１７（ｄ）に基づき説明する。
【０２１５】
上記実施の形態では、表側結合体１７７のスペーサ部１９１が一連の円柱状をなす構成としたが、これを変更し、表側結合体２９１のスペーサ部２９２が先端側及び根元側に形成された円柱状部分２９２ａ，２９２ｂと、それら円柱状部分２９２ａ，２９２ｂに連結する板状部分２９２ｃとによって全体として略柱状をなす構成としている。より詳しくは、板状部分２９２ｃは、円柱状部分２９２ａ，２９２ｂの軸線方向と同一方向に延びる薄板によって構成されており、前記軸線を挟んだ両側にそれぞれ配置されている。板状部分２９２ｃの板厚は円柱状部分２９２ａ，２９２ｂの半径よりも十分に小さく設定されており、これら板状部分２９２ｃをニッパ等で切断することにより両結合体２９１，２９３を分離できる。
【０２１６】
このように切断部としての板状部分２９２ｃが軸線方向に延びる板状をなすことで、表側壁部１２１及び裏側平板部１１１の支持機能を担保しやすくしつつ、切断作業の容易化に貢献することが可能となっている。なお、以上詳述した構成を裏側結合体２９３に適用することも可能である。
【０２１７】
なお、上述の如く変更を行う場合、両構成体１０１，１０２を結合する接着材を省略するとともに、主制御基板９１を固定する破断ネジ１１７を着脱可能な周知のネジに変更するとよい。これにより、板状部分２９２ｃを切断することで、両構成体１０１，１０２を分離可能とすることができ、主制御基板９１が露出した後に前記ネジを取り外すことで、その主制御基板９１を取り外すことができる。
【０２１８】
（ｉ）上記実施の形態では、結合体１７６，１７７が透明性を有する構成としたが、透明性を有さない構成とすることも可能である。但し、収容部１８３及びストッパ部１８４を有する結合体１７６が透明性を有さない構成とすると、結合金具１９５の視認、すなわち結合状態の視認が困難となり得る。故に、望ましくは少なくとも結合体１７６は透明性を有する構成とするとよい。
【０２１９】
（ｊ）上記実施の形態では、結合金具１９５がスペーサ部１８１，１９１の内部に収容される構成としたが、結合金具がスペーサ部１８１，１９１の外部に露出する構成としてもよい。
【０２２０】
（ｋ）結合体１７６，１７７の結合状態を解除する解除操作部を基板ボックス９２の内部空間に設けることも可能である。
【０２２１】
（ｌ）上記実施の形態では、両構成体１０１，１０２の結合手段として接着材と結合機構１７５とを併用したが、結合機構１７５のみを用いる構成としてもよい。
【０２２２】
また、結合機構１７５のみを、基板ボックス９２の内部空間に収容する構成としたが、接着剤及び接着の対象となる部位を基板ボックス９２の内部空間に収容する構成とすることも可能である。
【０２２３】
（ｍ）主制御装置６３の基板ボックス９２に形成されたボックス側切断部１５１の変形例を、図１８（ａ），（ｂ）に示す。図１８（ａ），（ｂ）は、ボックス側切断部１５１の変形例を説明するための説明図である。
【０２２４】
（ｍ−１）図２１（ａ）に示すボックス側切断部１５１は、基板ボックスの内外に貫通する貫通孔ではなく、有底の溝を形成することにより設けられている。なお、当該溝は横断面Ｖ字状に限定されることはなく、Ｕ字状であってもよい。本構成であっても、基板ボックスにボックス側切断部１５１が形成されているため、基板ボックスの内部空間の開放に関して上記第１の実施の形態と同様の効果を得ることができる。また、本構成においては、ボックス側切断部１５１にて通気口としての機能が果たされないが、ボックス側切断部１５１を通じて不正用治具を挿入しようとする行為が行われることはない。これにより、結合体１７６，１７７への不正アクセスを好適に抑制することができる。
【０２２５】
（ｍ−２）図２１（ｂ）に示すボックス側切断部１５１は、基板ボックス９２の内外に貫通する貫通孔や溝ではなく、基板ボックス９２における他の部位を構成する材料よりも強度の弱い材料を適用することにより設けられている。本構成であっても、基板ボックス９２にボックス側切断部１５１が形成されているため、基板ボックス９２の内部空間の開放に関して上記第１の実施の形態と同様の効果を得ることができる。また、本構成においては、ボックス側切断部１５１にて通気口としての機能が果たされないが、ボックス側切断部１５１を通じて不正用治具を挿入しようとする行為が行われることはない。これにより、結合体１７６，１７７への不正アクセスを好適に抑制することができる。
【０２２６】
（ｎ）上記実施の形態では、ボックス側切断部１５１を表側構成体１０２に形成したが、当該ボックス側切断部を裏側構成体１０１に形成してもよい。また、裏側構成体１０１において所定の領域を囲むようにしてボックス側切断部を形成するとともに、表側構成体１０２において所定の領域を囲むようにしてボックス側切断部を形成してもよい。
【０２２７】
（ｏ）上記第１の実施の形態では、基板側切断部１６１は枠状に形成されていたが、これに限定されることはなく、基板ボックス９２に形成された開口１５４を通じて取り出し可能な大きさの基板側除去領域１６３を分離させることができるのであれば、基板側切断部１６１の形状は任意である。
【０２２８】
（ｐ）上記実施の形態において、ＣＰＵチップ９３や基板側除去領域１６３の検査後における仮収容の構成を不具備としてもよい。また、ＣＰＵチップ９３や基板側除去領域１６３の検査後における仮収容に際しては、ＣＰＵチップ９３が搭載される側の板面を裏側構成体１０１側に向けて仮収容させることを可能とする構成としてもよい。
【０２２９】
（ｑ）上記実施の形態では、ＣＰＵ，ＲＯＭ，ＲＡＭが１チップ化されたＣＰＵチップ９３を主制御基板９１に搭載したが、これに代えて、ＲＯＭ専用の素子を主制御基板９１に搭載してもよい。この場合、少なくともそのＲＯＭ専用の素子に関して、上記第１の実施の形態における基板ボックス９２の各構成を適用するとよい。
【０２３０】
（ｒ）上記第１の実施の形態において、主制御装置６３の基板ボックス９２はコネクタ用プレート１０４を具備しない構成とするとともに、表側構成体１０２が長孔部１２５を具備しない構成としてもよい。この場合、基板ボックス９２は一対の構成体１０１，１０２から形成されることとなる。また、３個のボックス構成体ではなく、２個又は４個以上のボックス構成体を組み合わせることにより、基板ボックス９２が形成される構成としてもよい。
【０２３１】
（ｓ）上記実施の形態において、ボックス側切断部１５１を切断してボックス側除去領域１５３を除去する場合、当該ボックス側除去領域１５３は基板ボックス９２の内部空間を開放する開口が形成されるように当初の位置から離間されるものの、表側構成体１０２に対して一部が連結されていることで、表側構成体１０２側に残る構成としてもよい。
【０２３２】
（ｔ）上記実施の形態では、主制御基板９１に基板側切断部１６１を設け、主制御基板９１を切断することで、当該主制御基板９１の主要部分の取り外しが可能となる構成としたが、これを以下のように変更してもよい。すなわち、主制御基板とその取付け対象のうち、取付対象側（例えば裏側構成体等）を破壊することで、主制御基板の取り外しが可能となる構成としてもよい。かかる場合、取付対象側における主制御基板の固定部周辺に脆弱部を設けるとよい。
【０２３３】
（ｕ）上記実施の形態では、表側構成体１０２と裏側構成体１０１とを主制御基板９１の素子搭載面９７と直交する方向に重ねあわせることで、組み付けを行う構成としたが、主制御基板の素子搭載面と平行な方向に表側構成体と裏側構成体とを相互にスライドさせることで組み付けを行う構成としてもよい。例えば、主制御基板の長手方向にスライドさせるとよい。これにより、スライド装着時に、各素子が表側構成体や裏側構成体に当たることで破損するといった不都合を好適に抑制することができる。
【０２３４】
（ｖ）上記実施の形態においては、両周壁部１１８，１２２の厚みを同一としたがこれに限定されるものではない、いずれか一方が他方に比べて厚くなるように設定してもよい。また、両周壁部１１８，１２２の内面が、両周壁部１１８，１２２の境界を跨いで連続すると構成としたが、これに限定されるものではない。例えば、両周壁部１１８，１２２の内面が両周壁部１１８，１２２の境界部位にて段差状をなす構成とすることも可能である。
【０２３５】
（ｗ）上記第１の実施の形態においては、遮蔽部１２４が表側周壁部１２２の内周面と接触する構成としたが、それら遮蔽部１２４と表側周壁部１２２の内周面との間に所定のクリアランスを設けてもよい。但し、遮蔽部１２４は両構成体１０１，１０２を組み合わせる際の案内部としての機能を有するが、クリアランスを大きくすると、この案内機能が活用されにくくなり得る。
【０２３６】
（ｘ）上記実施の形態においては、基板ボックス９２等の開放を容易とする構成として、ボックス側切断部１５１等を設けたが、これを省略することも可能である。また、主制御基板９１の取り外しを容易化する構成として、基板側切断部１６１を設けたがこれを省略することも可能である。
【０２３７】
（ｙ）上記実施の形態において主制御装置の基板ボックスに適用した構成を、音声ランプ制御装置６６、払出制御装置８２、電源及び発射制御装置８３といった他の制御装置に対して適用してもよい。
【０２３８】
（ｚ）上記実施の形態では、外側貯留部として上皿５７ａと下皿５８ａとを備えたパチンコ機１０に本発明を適用したが、これに代えて、単一の外側貯留部を備えたパチンコ機に本発明を適用してもよい。また、停電監視装置を主制御装置６３とは別に設けることで、主制御基板９１は主制御回路２０２のみの機能を有する構成としてもよい。
【０２３９】
（ａａ）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２４０】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。
【０２４１】
本スロットマシンは、前方に開放された箱状をなす筐体と、当該筐体の開口を塞ぐ前面扉とを備えており、筐体内に制御基板装置が収容されている。この場合に、制御基板装置の基板ボックスにおいてボックス側切断部の形成された面が前面扉を開放した場合に視認可能となるように、制御基板装置を配置することで、ボックス側切断部が切断されているか否かの確認を容易に行うことができる。
【０２４２】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【符号の説明】
【０２４３】
１０…パチンコ機、６３…主制御装置、９１…主制御基板、９２…基板ボックス、９３…ＣＰＵチップ、９７…素子搭載面、１０１…裏側構成体、１０２…表側構成体、１０４…コネクタ用プレート、１１１…裏側壁部、１１８…裏側周壁部、１１８ａ…内壁面、１１８ｂ…外壁面、１１９，１２３…端面、１２１…表側壁部、１２２…表側周壁部、１２２ａ…内壁面、１２２ｂ…外壁面、１５１…ボックス側切断部、１５２…貫通孔、１５３…ボックス側除去領域、１５４…開口、１６１…基板側切断部、１６３…基板側除去領域、１７５…結合手段としての結合機構、１７６…裏側結合体、１７７…表側結合体、１８１…裏側スペーサ部、１８２…当接面、１９１…表側スペーサ部、１９２…当接面。
【図１】
2014004411.tif 000003
【図２】
2014004411.tif 000004
【図３】
2014004411.tif 000005
【図４】
2014004411.tif 000006
【図５】
2014004411.tif 000007
【図６】
2014004411.tif 000008
【図７】
2014004411.tif 000009
【図８】
2014004411.tif 000010
【図９】
2014004411.tif 000011
【図１０】
2014004411.tif 000012
【図１１】
2014004411.tif 000013
【図１２】
2014004411.tif 000014
【図１３】
2014004411.tif 000015
【図１４】
2014004411.tif 000016
【図１５】
2014004411.tif 000017
【図１６】
2014004411.tif 000018
【図１７】
2014004411.tif 000019
【図１８】
2014004411.tif 000020